(57)【要約】  【課題】  本発明は、機種の異なる別の装置において使用されているリモコンによって操作することが可能な電子機器を提供することを目的とする。  【解決手段】  機種の異なる別の装置のリモコンが使用可能なように、このリモコンに対応するコード群及びＧＵＩ及び機能が選択できるように、設定記憶部１３において条件設定が成される。そして、登録されたリモコンからの赤外線信号を受信すると、そのリモコンに応じたコード群及びＧＵＩ及び機能が、メモリ２２内のデータベースより読み出される。【選択図】      図１
2006041825.tif 000002
【特許請求の範囲】
【請求項１】
複数の異なるコードを送信するリモートコントローラと、該リモートコントローラと通信を行うとともに該リモートコントローラを通じて動作制御される第１電子機器と、を備えるリモートコントロールシステムにおいて、
前記第１電子機器が、前記第１電子機器と異なる機種の第２電子機器専用の前記リモートコントローラとなる第２リモートコントローラより送信されるコード毎に設定された各種情報より成る情報群を、複数種類の前記第２リモートコントローラ毎に、格納するデータベースを備え、
前記第１電子機器を操作する前記リモートコントローラとして、複数種類の前記第２リモートコントローラのうちの１つが選択されるとき、
選択された前記第２リモートコントローラに応じた前記情報群が前記データベースより読み出されて、選択された前記第２リモートコントローラで操作されることが登録されるとともに、
前記第１電子機器が、前記第２リモートコントローラから送信される前記コードを受信すると、前記データベースから読み出された前記情報群を参照して、受信した前記コードに対応する情報より前記第２電子機器に対して設定された機能を確認し、確認した当該機能と同等の機能を動作させることを特徴とするリモートコントロールシステム。
【請求項２】
前記第２電子機器で使用されるユーザインターフェースが、前記情報群の１つとして、前記データベースに格納され、
前記第１電子機器を操作する前記リモートコントローラとして、複数種類の前記第２リモートコントローラのうちの１つが選択されるとき、選択された前記第２リモートコントローラを専用のリモートコントローラとする前記第２電子機器の前記ユーザインターフェースが読み出されて、当該ユーザインターフェースに応じた操作が行われることを特徴とする請求項１に記載のリモートコントロールシステム。
【請求項３】
前記第２リモートコントローラそれぞれが、当該第２リモートコントローラを専用とする前記第２電子機器の機種を表す機種コードを備え、
前記第１電子機器を操作する前記第２リモートコントローラが選択されて、選択された当該第２リモートコントローラの使用が前記第１電子機器に登録されるとき、前記第２リモートコントローラから送信される前記機種コードによって前記第２電子機器の機種を判定し、判定した前記第２電子機器の機種に応じた前記情報群を前記データベースより読み出すことを特徴とする請求項１又は請求項２に記載のリモートコントロールシステム。
【請求項４】
前記第１電子機器を操作する前記第２リモートコントローラが選択されて、選択された当該第２リモートコントローラの使用が前記第１電子機器に登録されるとき、前記第２リモートコントローラから送信される特定の情報に応じた前記コードによって前記第２電子機器の機種を判定し、判定した前記第２電子機器の機種に応じた前記情報群を前記データベースより読み出すことを特徴とする請求項１又は請求項２に記載のリモートコントロールシステム。
【請求項５】
前記第１電子機器を操作する前記第２リモートコントローラが選択されて、選択された当該第２リモートコントローラの使用が前記第１電子機器に登録されるとき、前記第１電子機器の操作部又は前記第１電子機器専用の第１リモートコントローラが操作されることによって、その使用が登録される前記第２リモートコントローラが指定されることを特徴とする請求項１又は請求項２に記載のリモートコントロールシステム。
【請求項６】
前記第１電子機器が、外部より前記第２リモートコントローラに対する前記情報群を取得して前記データベースに格納することを特徴とする請求項１〜請求項５のいずれかに記載のリモートコントロールシステム。
【請求項７】
前記第１電子機器が、選択された前記第２リモートコントローラに対する前記情報群を、前記データベース内に格納していないとき、
前記第１電子機器が、外部より判定又は指定された前記第２リモートコントローラに対する前記情報群を取得して前記データベースに格納するとともに、判定又は指定された前記第２リモートコントローラの使用を登録することを特徴とする請求項１〜請求項５のいずれかに記載のリモートコントロールシステム。
【請求項８】
前記第１電子機器を操作する前記第２リモートコントローラが選択されて、選択された当該第２リモートコントローラの使用が前記第１電子機器に登録されるとき、その使用が登録される前記第２リモートコントローラを示す表示が成されることを特徴とする請求項１〜請求項７のいずれかに記載のリモートコントロールシステム。
【請求項９】
登録する前記第２リモートコントローラを専用のリモートコントローラとする前記第２電子機器の機種名を表示することで、前記第２リモートコントローラを示す表示が成されることを特徴とする請求項８に記載のリモートコントロールシステム。
【請求項１０】
前記第１電子機器を操作する前記第２リモートコントローラが選択されて、選択された当該第２リモートコントローラの使用が前記第１電子機器に登録されるとき、前記第１電子機器に備えられていない機能に対する前記コードを使用不可能とすることを特徴とする請求項１〜請求項９のいずれかに記載のリモートコントロールシステム。
【請求項１１】
前記第１電子機器が、使用不可能とした前記コードを表す表示を行うことを特徴とする請求項１０に記載のリモートコントロールシステム。
【請求項１２】
前記第１電子機器を操作する前記第２リモートコントローラが選択されて、選択された当該第２リモートコントローラの使用が前記第１電子機器に登録されるとき、前記第１電子機器に備えられていない機能に対する前記コードに対して、前記第１電子機器が備える別の機能が割り当てられることを特徴とする請求項１〜請求項９のいずれかに記載のリモートコントロールシステム。
【請求項１３】
前記第１電子機器が、前記機能を表す情報が割り当てられた前記コードを表す表示を行うことを特徴とする請求項１２に記載のリモートコントロールシステム。
【請求項１４】
前記第１電子機器が前記第２リモートコントローラによって操作されているとき、
前記第１電子機器の機種が表示されることを特徴とする請求項１〜請求項１３のいずれかに記載のリモートコントロールシステム。
【請求項１５】
前記第１電子機器が前記第２リモートコントローラによって操作されているとき、
前記第１電子機器を操作する前記第２リモートコントローラを専用のリモートコントローラとする前記第２電子機器の機種が表示されることを特徴とする請求項１〜請求項１４のいずれかに記載のリモートコントロールシステム。
【請求項１６】
前記第１電子機器と通信接続された表示装置を備え、該表示装置において、前記第１電子機器から指示される表示が成されることを特徴とする請求項１〜請求項１５のいずれかに記載のリモートコントロールシステム。
【請求項１７】
前記第１電子機器が、前記表示装置を介して前記リモートコントローラからの前記コードを受信することを特徴とする請求項１６に記載のリモートコントロールシステム。
【請求項１８】
前記第１電子機器及び前記第２電子機器それぞれの装置の種類が異なることを特徴とする請求項１〜請求項１７のいずれかに記載のリモートコントロールシステム。
【請求項１９】
前記第１電子機器において、前記第２リモートコントローラが複数登録されるとともに、
前記第１電子機器が、登録される複数の前記第２リモートコントローラの１つによって操作が為されるとき、他の前記第２リモートコントローラによる前記第１電子機器の操作が制限されることを特徴とする請求項１〜請求項１８のいずれかに記載のリモートコントロールシステム。
【請求項２０】
前記第１電子機器が、ＡＶソースを出力する電子機器であるとともに、該ＡＶソースを表示するための表示装置と接続されることを特徴とする請求項１〜請求項１９のいずれかに記載のリモートコントロールシステム。
【請求項２１】
前記第１電子機器が、複数の表示装置と通信接続可能であるとともに、前記表示装置を通じて複数の前記第２リモートコントローラからのコードが受信可能であり、
前記第１電子機器において、前記第１電子機器に対してコードを送信する前記第２リモートコントローラ全てを登録するとともに、登録する前記第２リモートコントローラそれぞれに対して当該第２リモートコントローラに同期して動作する前記表示装置が関連づけられることを特徴とする請求項２０に記載のリモートコントロールシステム。
【請求項２２】
複数の異なるコードを送信するリモートコントローラを通じて動作制御される電子機器において、
請求項１〜請求項２１のリモートコントロールシステムを採用することを特徴とする電子機器。
【請求項２３】
複数の異なるコードを送信するリモートコントローラを通じて動作制御される電子機器において、
前記リモートコントローラからの信号を受信する第１受信部と、
前記第１受信部で受信された信号より前記コードを確認する解析部と、
自機器と異なる機種の電子機器専用の前記リモートコントローラとなる第２リモートコントローラより送信されるコード毎に設定された各種情報より成る情報群を、複数種類の前記第２リモートコントローラ毎に、格納するデータベースと、
自機器を操作する前記リモートコントローラを登録する設定記憶部と、
を備えるとともに、
自機器を操作する前記リモートコントローラとして、複数種類の前記第２リモートコントローラのうちの１つが選択されるとき、
前記設定記憶部において、選択された前記第２リモートコントローラに応じた前記情報群を前記データベースより読み出すことが設定されることで、選択された前記第２リモートコントローラで操作されることが登録されるとともに、
前記解析部において、前記第２リモートコントローラからの送信信号より前記コードを確認すると、前記データベースから読み出された前記情報群を参照して、受信した前記コードに対応する情報より前記第２電子機器に対して設定された機能を確認し、確認した当該機能と同等の機能を動作させることを特徴とする電子機器。
【請求項２４】
前記解析部において、前記第２リモートコントローラからの送信信号より得られる特定のコードに基づいて前記第２リモートコントローラに対応する前記電子機器の機種を判別することを特徴とする請求項２３に記載の電子機器。
【請求項２５】
自機器の各機能を指定して操作するための操作部を備えるとともに、該操作部が操作されることによって、登録される前記第２リモートコントローラが指定されることを特徴とする請求項２３に記載の電子機器。
【請求項２６】
自機器専用の第１リモートコントローラを備えるとともに、該リモートコントローラが操作されることによって、登録される前記第２リモートコントローラが指定されることを特徴とする請求項２３に記載の電子機器。
【請求項２７】
前記電子機器に与えられた前記情報群を管理するサーバと通信接続する通信インターフェースを備え、
該通信インターフェースを通じて前記サーバより前記情報群を取得して、前記データベースに格納することを特徴とする請求項２４〜請求項２７のいずれかに記載の電子機器。
【請求項２８】
前記設定記憶部において、前記第２リモートコントローラが複数登録されるとともに、
登録される複数の前記第２リモートコントローラの１つによって操作が為されるとき、他の前記第２リモートコントローラによる操作を制限することを特徴とする請求項２３〜請求項２７のいずれかに記載の電子機器。
【請求項２９】
自機器以外の他の電子機器と通信接続する信号入出力部を備え、
前記他の電子機器によって受信された前記リモートコントローラの信号が前記信号入出力部によって受信されるとともに、受信された信号が前記解析部に与えられることを特徴とする請求項２３〜請求項２８のいずれかに記載の電子機器。
【請求項３０】
前記信号入出力部で接続された前記他の電子機器が画像を表示する表示装置であり、
自機器で生成した画像データが前記信号入出力部より該表示装置に送信されることで、前記表示装置に画像が表示されることを特徴とする請求項２９に記載の電子機器。
【請求項３１】
前記信号入出力部による前記他の電子機器との通信が無線通信であることを特徴とする請求項２９又は請求項３０に記載の電子機器。
【請求項３２】
前記信号入出力部において、複数の前記他の電子機器と通信接続することができるとともに、前記他の電子機器を通じて複数の前記第２リモートコントローラからのコードを受信することができ、
前記設定記憶部において、前記信号入出力部及び前記第１受信部で受信されるコードを送信する前記第２リモートコントローラ全てが登録されるとともに、登録する前記第２リモートコントローラそれぞれに対して当該第２リモートコントローラに同期して動作させる前記他の電子機器が関連づけられることを特徴とする請求項２９〜請求項３１のいずれかに記載の電子機器。
【請求項３３】
自機器の装置の種類と、前記第２リモートコントローラに対応する前記電子機器の装置の種類とが異なることを特徴とする請求項２３〜請求項３２のいずれかに記載の電子機器。
【発明の詳細な説明】
【技術分野】
【０００１】
本発明は、リモートコントローラ（リモコン）によって操作される電子機器及び当該電子機器に対するリモートコントロールシステムに関する。
【背景技術】
【０００２】
近年、オーディオテープやビデオテープをはじめとして、ＣＤ（Compact Disk）やＤＶＤ（Digital Versatile Disk）やＭＤ（Mini Disk）やハードディスクなど、様々な種類の記録媒体が提供され、このような記録媒体に映像や音声などによるコンテンツが格納される。又、地上波テレビ放送やラジオ放送をはじめとして、衛星放送やケーブルテレビ放送やデジタルテレビ放送やインターネットなどの様々な種類の通信媒体を通じて、視聴者に対してコンテンツの提供が行われている。
【０００３】
上述のようなコンテンツを格納した各種類の記録媒体を再生するための記録媒体再生装置や各放送信号を受信する各種チューナ装置やインターネットと接続するネットワーク装置などの各種コンテンツ提供装置は、その動作を指示するためのリモートコントローラ（リモコン）が付随されることが一般的である。しかしながら、このようなコンテンツ提供装置それぞれに付随されたリモコンは、その装置の機種やメーカによって、同一の動作の指示についても、割り当てられた信号が異なることが多い。よって、同一の機能を有するが機種の異なる装置に対して、それぞれの機種に応じたリモコンを使用しなければ、各装置を操作することができない。
【０００４】
このような問題を解決するために、従来技術として、接続された複数の電子機器のうちの特定の電子機器に対して専用のリモコンより制御信号を送信することで、接続された他の電子機器を操作する電子機器の集中制御システムが提供されている（特許文献１参照）。このとき、この特定の電子機器をＡＶアンプとし、このＡＶアンプに接続された電子機器をＣＤチェンジャとしたとき、ＣＤチェンジャ及びＡＶアンプそれぞれを操作するために、ＡＶアンプに対応した専用のリモコンが使用される。即ち、ＣＤチェンジャが操作されるとき、専用のリモコンによって制御動作がＡＶアンプに送信されると、ＡＶアンプにおいて、ＣＤチェンジャを操作するための制御信号に変換してＣＤチェンジャに送信して、ＣＤチェンジャの動作制御を行う。
【０００５】
又、従来技術として、接続された外部機器の種別を容易に認識することが可能な電子機器が提供されている（特許文献２参照）。この電子機器は、特定の操作に対する外部機器専用のリモコンからの信号を判別することで接続された外部機器の種別を判別する。このように、外部機器の種別を判別することで、外部機器専用のリモコンからの信号を電子機器が受信したとき、外部機器への制御信号を認識して、認識した制御信号を外部機器へ送信し、外部機器の動作制御を行う。
【０００６】
又、従来技術として、接続された外部録画機器に対する録画予約設定が行われるとともに、設定された録画予約に従って赤外線信号を外部録画機器に送信し外部録画機器の録画動作を制御することができるテレビジョン受信機が提供されている（特許文献３参照）。このテレビジョン受信機は、接続された外部録画機器を制御するための制御コードを格納するとともに、この外部録画機器の制御コードを指定するためのメーカコードが予め設定される。そして、テレビジョン受信機専用のリモコン送信機を用いてテレビジョン受信機に対して録画予約設定を行うと、設定された録画予約情報に基づいて、赤外線信号を外部録画機器に送信し、設定された時間における外部録画機器による録画動作を制御する。
【特許文献１】特開平１０−１１６０５８号公報
【特許文献２】特開平１１−３０８５３８号公報
【特許文献３】特開２００２−２３８００１号公報
【発明の開示】
【発明が解決しようとする課題】
【０００７】
このように１つの機器において複数の機器の機能を備える技術が従来技術として提案されているが、従来より、図２７のように、同一の機能を備える電子機器に対するリモコンにおいても、機種やメーカが異なれば、その各機能を支持するための操作ボタンが異なる位置に設置されることが多い。例えば、記録媒体再生装置のリモコンにおいて、図２７（ａ）のように、開閉式の扉１００を備えて扉１００を閉じたときと開いたときとで異なる操作ボタンが配置されるとともに操作内容を表示する表示部１０１を備えるものや、図２７（ｂ）のように、接続されて表示装置として動作するテレビの操作ボタンをも設置されたものや、図２７（ｃ）のように、記録媒体再生装置を操作するための操作ボタンのみが設置されるとともに操作内容を表示する表示部１０１を備えるものなど、異なる形態のリモコンが存在する。
【０００８】
又、機種の異なる装置によって、同一の機能をリモコンより指示する場合においても、その操作方法が異なる。例えば、録画機能を備えた記録媒体再生装置において録画予約操作を行う際、図２７（ａ）、（ｃ）のようなリモコンの場合、Ｇコード（登録商標）を入力して録画予約を行うことができる。しかしながら、図２７（ｂ）のようなリモコンでは、表示部を備えておらず、Ｇコード（登録商標）による録画機能を備えていないため、記録媒体再生装置と接続されたディスプレイなどの表示画面を確認することによって、その録画予約内容を確認する必要がある。
【０００９】
更に、図２７（ａ）のリモコンにおいては、表示部１００の表示画面が広いため、Ｇコード（登録商標）を入力したときに、そのＧコード（登録商標）に応じた番組のチャンネル、放送開始時刻、及び放送終了時刻などの詳細な情報を図２８（ａ）のように表示部１００で確認して設定することができ、更に、接続されたディスプレイなどの表示画面に図２８（ｂ）のように同様の内容を表示させることができる。それに対して、図２７（ｃ）のリモコンにおいては、表示部１００の表示画面が狭いため、Ｇコード（登録商標）を入力したときに、図２９（ａ）のように、そのＧコード（登録商標）のみが表示部１００に表示され、そのＧコード（登録商標）に応じた番組のチャンネル、放送開始時刻、及び放送終了時刻などの詳細な情報は、図２９（ｂ）のように、接続されたディスプレイなどの表示画面に表示させることによって確認する必要がある。このように、同じ目的を達成するための操作方法が、機器により大幅に異なる。
【００１０】
又、このようにリモコンにおける操作ボタンの配置や操作方法が異なるだけでなく、コンテンツ提供装置においては、接続されたディスプレイなどにリモコンの操作内容を表示させるＧＵＩ（Graphical User Interface）が異なる。よって、例えば、録画機能を備えた機種の異なる記録媒体再生装置１０５ａ〜１０５ｃにおいてリモコン１０７ａ〜１０７ｃを使用して録画予約を行うとき、図３０（ａ）〜（ｃ）のように、記録媒体再生装置１０５ａ〜１０５ｃそれぞれに対するディスプレイ１０６での表示が異なるものとなる。即ち、図３０（ａ）〜（ｃ）のように、記録媒体再生装置１０５ａ〜１０５ｃそれぞれに接続されたディスプレイ１０６に表示される、録画予約する番組のチャンネル、放送開始時刻、及び放送終了時刻などの詳細な各情報の表示位置や表示方法が異なるものとなる。
【００１１】
このように、リモコンにおける操作ボタンの配置や操作方法が異なるとともに、そのＧＵＩも異なるため、故障などして同一機能を有する機種の異なる装置を導入したとき、ユーザは新たに導入した装置に応じたリモコンの操作方法になれる必要がある。そのため、過去に使用していた操作方法から新たな操作方法に変更するという負担をユーザに課していることとなる。
【００１２】
それに対して、特許文献１における集中制御システムのように構成することで、特定の電子機器専用のリモコン以外のリモコンによって接続された電子機器の動作制御を行えるものとして、ユーザの操作の煩雑さを解消することができる。しかしながら、この特定の電子機器自体が故障して、別の機種の電子機器とした場合、その特定の電子機器に応じたリモコンも変更されるため、結局、ユーザは新たにその操作方法を学習する必要がある。これは、特許文献３のテレビジョン受信機においても同様であり、テレビジョン受信機自体が変更されれば、それ専用のリモコン送信機も変更されてしまい、同様に、新たな操作方法に慣れる必要がある。
【００１３】
又、特許文献２の電子機器によると、リモコンにより制御信号が与えられると、このリモコンに対応した外部機器にのみ制御可能であり、このリモコンに対応していない外部機器の制御を行うことができない。よって、新たな外部機器が接続されるとき、この外部機器に応じたリモコンを使用する必要があり、結局、この新たな外部機器に応じたリモコンの操作を確認する必要がある。
【００１４】
このような問題を鑑みて、本発明は、機種の異なる別の装置において使用されているリモコンによって操作することが可能な電子機器を提供することを目的とする。又、本発明は、当該電子機器に使用されるリモコンによるリモートコントロールシステムを提供することを別の目的とする。
【課題を解決するための手段】
【００１５】
上記目的を達成するために、本発明のリモートコントロールシステムは、複数の異なるコードを送信するリモートコントローラと、該リモートコントローラと通信を行うとともに該リモートコントローラを通じて動作制御される第１電子機器と、を備えるリモートコントロールシステムにおいて、前記第１電子機器が、前記第１電子機器と異なる機種の第２電子機器専用の前記リモートコントローラとなる第２リモートコントローラより送信されるコード毎に設定された各種情報より成る情報群を、複数種類の前記第２リモートコントローラ毎に、格納するデータベースを備え、前記第１電子機器を操作する前記リモートコントローラとして、複数種類の前記第２リモートコントローラのうちの１つが選択されるとき、選択された前記第２リモートコントローラに応じた前記情報群が前記データベースより読み出されて、選択された前記第２リモートコントローラで操作されることが登録されるとともに、前記第１電子機器が、前記第２リモートコントローラから送信される前記コードを受信すると、前記データベースから読み出された前記情報群を参照して、受信した前記コードに対応する情報より前記第２電子機器に対して設定された機能を確認し、確認した当該機能と同等の機能を動作させることを特徴とする。
【００１６】
このとき、前記第２電子機器で使用されるユーザインターフェースが、前記情報群の１つとして、前記データベースに格納され、前記第１電子機器を操作する前記リモートコントローラとして、複数種類の前記第２リモートコントローラのうちの１つが選択されるとき、選択された前記第２リモートコントローラを専用のリモートコントローラとする前記第２電子機器の前記ユーザインターフェースが読み出されて、当該ユーザインターフェースに応じた操作が行われるものとしても構わない。このユーザーインターフェースを、ＧＵＩとして、前記第１電子機器を前記第２リモートコントローラで操作する際、前記第１電子機器による表示が前記第２電子機器での表示と同一の表示となるようにしても構わない。
【００１７】
これらのリモートコントロールシステムにおいて、前記第２リモートコントローラそれぞれが、当該第２リモートコントローラを専用とする前記第２電子機器の機種を表す機種コードを備え、前記第１電子機器を操作する前記第２リモートコントローラが選択されて、選択された当該第２リモートコントローラの使用が前記第１電子機器に登録されるとき、前記第２リモートコントローラから送信される前記機種コードによって前記第２電子機器の機種を判定し、判定した前記第２電子機器の機種に応じた前記情報群を前記データベースより読み出すものとしても構わない。又、前記第１電子機器を操作する前記第２リモートコントローラが選択されて、選択された当該第２リモートコントローラの使用が前記第１電子機器に登録されるとき、前記第２リモートコントローラから送信される特定の情報に応じた前記コードによって前記第２電子機器の機種を判定し、判定した前記第２電子機器の機種に応じた前記情報群を前記データベースより読み出すものとしても構わない。更に、前記第１電子機器を操作する前記第２リモートコントローラが選択されて、選択された当該第２リモートコントローラの使用が前記第１電子機器に登録されるとき、前記第１電子機器の操作部又は前記第１電子機器専用の第１リモートコントローラが操作されることによって、その使用が登録される前記第２リモートコントローラが指定されるものとしても構わない。これらの前記第２リモートコントローラの指定方法が選択されるものとしても構わない。
【００１８】
又、前記第１電子機器の操作部又は前記第１電子機器専用の第１リモートコントローラが操作されることによって、登録される前記第２リモートコントローラが指定されるとき、登録される前記第２リモートコントローラのメーカが指定された後に、その機種が指定されるものとしても構わない。又、このとき、前記第２リモートコントローラを専用のリモートコントローラとする前記第２電子機器の装置の種類が指定されるものとしても構わないし、複数の機種を１つのグループとする機種の系列が指定されるものとしても構わない。
【００１９】
又、記第１電子機器が、外部より前記第２リモートコントローラに対する前記情報群を取得して前記データベースに格納するものとしても構わない。このとき、前記第１電子機器が、選択された前記第２リモートコントローラに対する前記情報群を、前記データベース内に格納していないときに、前記第１電子機器が、外部より判定又は指定された前記第２リモートコントローラに対する前記情報群を取得して前記データベースに格納するとともに、判定又は指定された前記第２リモートコントローラの使用を登録するものとしても構わない。又、定期的に、前記第２リモートコントローラに対する前記情報群を取得して前記データベースに格納するものとしても構わない。
【００２０】
又、前記第１電子機器を操作する前記第２リモートコントローラが選択されて、選択された当該第２リモートコントローラの使用が前記第１電子機器に登録されるとき、その使用が登録される前記第２リモートコントローラを示す表示が成されるものとしても構わない。このとき、登録する前記第２リモートコントローラを専用のリモートコントローラとする前記第２電子機器の機種名又は外観を表示するものとしても構わない。
【００２１】
又、前記第１電子機器を操作する前記第２リモートコントローラが選択されて、選択された当該第２リモートコントローラの使用が前記第１電子機器に登録されるとき、前記第１電子機器に備えられていない機能に対する前記コードを使用不可能とするものとしても構わない。このとき、前記第１電子機器が、使用不可能とした前記コードを表す表示を行うものとしても構わない。当該コードの表示方法として、該コードに対応した機能を表示しても構わないし、該コードに対応した前記第２リモートコントローラでの操作ボタンを表示しても構わない。更に、このような使用不可能とした前記コードが存在するとき、該コードに対応した前記第２リモートコントローラでの操作ボタンが操作されると、使用不可能であることを通知するものとしても構わない。
【００２２】
又、前記第１電子機器を操作する前記第２リモートコントローラが選択されて、選択された当該第２リモートコントローラの使用が前記第１電子機器に登録されるとき、前記第１電子機器に備えられていない機能に対する前記コードに対して、前記第１電子機器が備える別の機能が割り当てられるものとしても構わない。このとき、前記第１電子機器が、前記機能を表す情報が割り当てられた前記コードを表す表示を行うものとしても構わない。当該コードの表示方法として、該コードに対応した機能を表示しても構わないし、該コードに対応した前記第２リモートコントローラでの操作ボタンを表示しても構わない。
【００２３】
又、前記第１電子機器が前記第２リモートコントローラによって操作されているとき、前記第１電子機器の機種が表示されるものとしても構わないし、前記第１電子機器を操作する前記第２リモートコントローラを専用のリモートコントローラとする前記第２電子機器の機種が表示されるものとしても構わない。
【００２４】
又、前記第１電子機器と通信接続された表示装置を備え、該表示装置において、前記第１電子機器から指示される表示が成されるものとしても構わない。このとき、前記第１電子機器が、前記表示装置を介して前記リモートコントローラからの前記コードを受信するものとしても構わない。
【００２５】
更に、前記第１電子機器及び前記第２電子機器それぞれの装置の種類が異なるものとしても構わない。
【００２６】
又、前記第１電子機器において、前記第２リモートコントローラが複数登録されるとともに、前記第１電子機器が、登録される複数の前記第２リモートコントローラの１つによって操作が為されるとき、他の前記第２リモートコントローラによる前記第１電子機器の操作が制限されるものとしても構わない。このとき、当該他の前記第２リモートコントローラによる前記第１電子機器の操作の制限が、一定時間で解除されるものとしても構わないし、操作が許可されている前記第２リモートコントローラによる操作が終了することで解除されるものとしても構わないし、前記第１電子機器が電源ＯＦＦとされたときに解除されるものとしても構わない。
【００２７】
又、前記第１電子機器が、ＡＶソースを出力する電子機器であるとともに、該ＡＶソースを表示するための表示装置と接続されるものとしても構わない。このとき、前記第１電子機器が、録画可能な電子機器であっても構わない。又、前記第２電子機器で使用されるユーザインターフェースが、録画予約画面であっても構わない。
【００２８】
又、前記第１電子機器に関する情報を表示するためのユーザインターフェースが備えられるものとしても構わない。このとき、前記第２リモートコントローラの登録や前記第１リモートコントローラによる操作が為されるとき、当該第１電子機器に関する情報を表示するためのユーザインターフェースに基づいて、前記第１電子機器に接続される他の電子機器における表示が行われるものとしても構わない。更に、前記第２リモートコントローラによる操作が為されるとき、当該第２電子機器で使用されるユーザインターフェースに基づいて、前記第１電子機器に接続される他の電子機器における表示が行われるものとしても構わない。
【００２９】
又、前記第１電子機器が、複数の表示装置と通信接続可能であるとともに、前記表示装置を通じて複数の前記第２リモートコントローラからのコードが受信可能であり、前記第１電子機器において、前記第１電子機器に対してコードを送信する前記第２リモートコントローラ全てを登録するとともに、登録する前記第２リモートコントローラそれぞれに対して当該第２リモートコントローラに同期して動作する前記表示装置が関連づけられるものとしても構わない。
【００３０】
このとき、前記第１電子機器がＰＶＲなどのように複数のＡＶソースを再生するとともに複数の前記表示装置にＡＶソースを送信することが可能な電子機器である場合、接続される前記表示装置それぞれに対して異なるＡＶソースを送信し、前記表示装置側では、その視聴者が操作する前記第２リモートコントローラに応じた前記第２電子機器が操作されるように、前記視聴者に擬似的に体感させることができる。
【００３１】
又、前記第１電子機器がＶＴＲやＤＶＤレコーダのように１つのＡＶソースのみしか出力できない場合は、全ての前記表示装置に再生するＡＶソースを同期させるものとしても構わないし、表示可能な前記表示装置を１つのみに制限するものとしても構わない。又、このとき、全ての前記表示装置に再生するＡＶソースを同期させている旨、又は、表示可能な前記表示装置を１つのみに制限している旨をそれぞれ、前記表示装置に表示させるものとしても構わない。
【００３２】
又、上述の各リモートコントローラシステムにおいて、予め前記第２リモートコントローラが登録されているものとし、このとき、登録された前記第２リモートコントローラより操作する状態がすぐに確立されるものとしても構わない。
【００３３】
又、本発明の電子機器は、複数の異なるコードを送信するリモートコントローラを通じて動作制御される電子機器において、上述のいずれかのリモートコントロールシステムを採用することを特徴とする。
【００３４】
又、本発明の電子機器は、複数の異なるコードを送信するリモートコントローラを通じて動作制御される電子機器において、前記リモートコントローラからの信号を受信する第１受信部と、前記第１受信部で受信された信号より前記コードを確認する解析部と、自機器と異なる機種の電子機器専用の前記リモートコントローラとなる第２リモートコントローラより送信されるコード毎に設定された各種情報より成る情報群を、複数種類の前記第２リモートコントローラ毎に、格納するデータベースと、自機器を操作する前記リモートコントローラを登録する設定記憶部と、を備えるとともに、自機器を操作する前記リモートコントローラとして、複数種類の前記第２リモートコントローラのうちの１つが選択されるとき、前記設定記憶部において、選択された前記第２リモートコントローラに応じた前記情報群を前記データベースより読み出すことが設定されることで、選択された前記第２リモートコントローラで操作されることが登録されるとともに、前記解析部において、前記第２リモートコントローラからの送信信号より前記コードを確認すると、前記データベースから読み出された前記情報群を参照して、受信した前記コードに対応する情報より前記第２電子機器に対して設定された機能を確認し、確認した当該機能と同等の機能を動作させることを特徴とする。
【００３５】
このような電子機器において、前記解析部において、前記第２リモートコントローラからの送信信号より得られる特定のコードに基づいて前記第２リモートコントローラに対応する前記電子機器の機種を判別するものであっても構わない。このとき、該特定のコードが前記第２リモートコントローラに対応した前記電子機器の機種を表す機種コードであっても構わないし、特定の機能に対応したコードであっても構わない。
【００３６】
又、自機器の各機能を指定して操作するための操作部を備えるとともに、該操作部が操作されることによって、登録される前記第２リモートコントローラが指定されるであっても構わないし、自機器専用の第１リモートコントローラを備えるとともに、該リモートコントローラが操作されることによって、登録される前記第２リモートコントローラが指定されるものであっても構わない。
【００３７】
前記電子機器に与えられた前記情報群を管理するサーバと通信接続する通信インターフェースを備え、該通信インターフェースを通じて前記サーバより前記情報群を取得して、前記データベースに格納するものとしても構わない。
【００３８】
又、上述の電子機器において、前記設定記憶部において、前記第２リモートコントローラが複数登録されるとともに、登録される複数の前記第２リモートコントローラの１つによって操作が為されるとき、他の前記第２リモートコントローラによる操作を制限するものとしても構わない。
【００３９】
自機器以外の他の電子機器と通信接続する信号入出力部を備え、前記他の電子機器によって受信された前記リモートコントローラの信号が前記信号入出力部によって受信されるとともに、受信された信号が前記解析部に与えられるものとしても構わない。このとき、前記信号入出力部で接続された前記他の電子機器が画像を表示する表示装置であり、自機器で生成した画像データが前記信号入出力部より該表示装置に送信されることで、前記表示装置に画像が表示されるものとしても構わない。更に、前記信号入出力部による前記他の電子機器との通信が無線通信であっても構わない。
【００４０】
又、このとき、前記信号入出力部において、複数の前記他の電子機器と通信接続することができるとともに、前記他の電子機器を通じて複数の前記第２リモートコントローラからのコードを受信することができ、前記設定記憶部において、前記信号入出力部及び前記第１受信部で受信されるコードを送信する前記第２リモートコントローラ全てが登録されるとともに、登録する前記第２リモートコントローラそれぞれに対して当該第２リモートコントローラに同期して動作させる前記他の電子機器が関連づけられるものとしても構わない。
【００４１】
又、自機器の装置の種類と、前記第２リモートコントローラに対応する前記電子機器の装置の種類とが異なるものであっても構わない。更に、前記第２リモートコントローラを複数登録するものとしても構わない。
【発明の効果】
【００４２】
本発明によると、自機器の機種と異なる機種専用のリモートコントローラを登録することで、この自機器の機種と異なる機種専用のリモートコントローラで操作することができる。よって、ユーザが従来より使用して既にその操作が慣れているリモートコントローラを使用して、当該リモートコントローラを専用とする機種ではない電子機器の操作ができる。そのため、容易に新しい機種の電子機器を操作することができ、ユーザに新たな操作を学習させるという負担を低減させることができる。更に、従来の機種に対応したリモートコントローラで新たな機種となる電子機器を操作することができるため、この新たな機種となる電子機器にリモートコントローラを付随させずに流通させることができる。
【発明を実施するための最良の形態】
【００４３】
本発明の各実施形態について、以下に説明する。尚、以下の各実施形態において、本発明の電子機器の一例として、録画機能を備えた記録媒体再生装置を用いて説明するが、本発明の電子機器は、この記録媒体再生装置に限られるものではなく、この記録媒体再生装置以外にチューナ装置やネットワーク装置などを含むコンテンツ提供装置や、これらコンテンツ提供装置が接続されるディスプレイなどの表示装置や、冷暖房機器などの、リモコンが付随される別の電子機器であっても構わない。
【００４４】
＜第１の実施形態＞
本発明の第１の実施形態について、図面を参照して以下に説明する。図１は、本実施形態の電子機器である記録媒体再生装置の内部構成を示すブロック図である。
【００４５】
図１の記録媒体再生装置１は、記録媒体再生装置１をユーザが直接操作するための操作部１１と、操作内容や現在時刻などを表示する表示部１２と、記録媒体再生装置１に対して設定された設定条件を記憶する設定記憶部１３と、赤外線信号を受信する受光部１４と、赤外線信号を送信する発光部１５と、受光部１４で受信された信号及び発光部１５に与える信号それぞれの信号処理を行う解析部１６と、接続された外部の装置に対してコンテンツデータや制御データを出力するとともに外部の装置からのコンテンツデータや制御データが入力される入出力部１７と、設置された記録媒体に対してコンテンツデータの記録及び再生を行う記録再生部１８ａと、外部からコンテンツデータを受信するチューナ部１８ｂと、受光部１４で受信された赤外線信号の解析を行うためのコード群を選択するコード選択部１９と、表示フォーマットを示すＧＵＩを選択するＧＵＩ選択部２０と、確認されたコードなどによって設定される制御データを選択する制御選択部２１と、コード選択部１９及びＧＵＩ選択部２０及び制御選択部２１それぞれで選択される各種コード及び各種データを格納するメモリ２２と、装置全体の制御を行う制御部２３と、を備える。
【００４６】
このように構成される記録媒体再生装置１は、外部からの赤外線信号を受光部１４で受信すると、解析部１６で赤外線信号を解析することで、赤外線信号に含まれるコードを確認する。このとき、設定記憶部１３に格納された設定条件に応じたコード群が、コード選択部１９によって、メモリ２２内のコードデータベース２２ａより選択され、選択されたコード群が解析部１６に与えられ、赤外線信号に含まれるコードの内容が確認される。尚、コードデータベース２２ａは、機種の異なる記録媒体再生装置に対応した複数種類のコード群を格納する。
【００４７】
そして、赤外線信号に含まれるコードの内容が確認されると、制御部２３において、現在の動作状態とコードの内容とによって指定される制御動作を確認する。このとき、設定記憶部１３に格納された設定条件に応じた制御データ群が、制御選択部２１によって、メモリ２２内の制御データベース２２ｃより選択され、選択された制御データ群が解析部１６に与えられ、指定される制御動作が確認される。尚、コードデータベース２２ｃは、機種の異なる記録媒体再生装置に対応した複数種類の制御データ群を格納する。
【００４８】
又、ＧＵＩ選択部２０は、設定記憶部１３に格納された設定条件に応じたＧＵＩを、メモリ２２内のＧＵＩデータベース２２ｂより選択して、制御部２３に与える。そして、表示部１２において、選択されたＧＵＩに応じた表示を行うとともに、選択されたＧＵＩによる表示フォーマットを表す制御データを入出力部１７より出力する。尚、ＧＵＩデータベース２２ｂは、機種の異なる記録媒体再生装置に対応した複数種類のＧＵＩを格納する。又、このＧＵＩデータベース２２ｂに格納される複数種類のＧＵＩは、記録媒体再生装置１の表示部１２に表示させるためのＧＵＩや、記録媒体再生装置１と入出力部１７によって接続されるディスプレイなどの外部の表示装置に表示させるためのＧＵＩや、記録媒体再生装置１を操作するためのリモコンを登録するための記録媒体再生装置１独自の表示を表示部１２で行うためのＧＵＩなどが含まれる。
【００４９】
又、入出力部１７に制御データが入力されると、制御部２３において、制御選択部２１によって選択された制御データ群を参照することで、指定される制御動作が確認される。更に、制御データを指定するコードが入出力部１７に入力されると、入力されたコードが制御部２３を介して解析部１６に与えられる。そして、解析部１６において、コード選択部１９で選択されたコード群を参照して、コードの内容が確認された後、制御部２３において、制御選択部２１で選択された制御データ群を参照して、現在の動作状態とコードの内容とによって指定される制御動作が確認される。
【００５０】
更に、制御部２３において再生動作が指示されたことを確認すると、記録再生部１８ａによって記録媒体に記録されたコンテンツデータが読み出される。この読み出されたコンテンツデータが制御部２３を通じて入出力部１７に与えられ、この入出力部１７より外部に出力される。又、制御部２３において記録動作が指示されたことを確認すると、チューナ部１８ｂで選局されて得られるコンテンツデータ又は外部から入出力部１７に入力されるコンテンツデータが、制御部２３を介して記録再生部１８ａに与えられる。そして、記録再生部１８ａにおいて、与えられたコンテンツデータを記録媒体に書き込むことで、記録動作を行う。尚、チューナ部１８ｂの選局動作についても、制御部２３によって指示される。
【００５１】
このように動作する記録媒体再生装置１は、図２のように、ディスプレイやテレビジョン受信装置などの表示装置２と入出力部１７（図１参照）で接続されてコンテンツデータ及び制御データの送受信が行われるとともに、受光部１４及び発光部１５（図１参照）においてリモコン３，３ａと赤外線通信を行う。尚、リモコン３が記録媒体再生装置１に付随したリモコンであり、リモコン３ａは、記録媒体再生装置１と異なる機種となる記録媒体再生装置１ａに付随したリモコンである。
【００５２】
即ち、図２（ａ）のように、記録媒体再生装置１ａが表示装置２に接続され、リモコン３ａによって記録媒体再生装置１ａの操作が行われている。そして、この記録媒体再生装置１ａの故障が確認されて、図２（ｂ）のように、図１のような構成の記録媒体再生装置１が表示装置２に接続される。この記録媒体再生装置１において、コードデータベース２２ａに、他の複数の記録媒体再生装置それぞれに付随されたリモコンからの赤外線信号によって確認されるコードが、ＧＵＩデータベース２２ｂに、各記録媒体再生装置に対するＧＵＩが、制御データベース２２ｃに、コードより確認された制御データそれぞれにより確認される機能が、それぞれ格納される。
【００５３】
このとき、コードデータベース２２ａは、例えば、図３のデータテーブルのように、記録媒体再生装置１ａ−１〜１ａ−ｎ（図２の記録媒体再生装置１ａが含まれるものとする）それぞれの機種コードＣ１〜Ｃｎ、メーカ、装置の種類、及び機種が格納されるとともに、符号０〜９に対するコードやＧコード（登録商標）機能を指示するためのコードや上下左右それぞれのシフト機能を指示するためのコードや再生や記録などの各動作を指示するためのコードなどの記録媒体再生装置１ａ−１〜１ａ−ｎのリモコン３ａ−１〜３ａ−ｎ（図２のリモコン３ａが含まれるものとする）それぞれで指示することができる各コードを格納する。尚、この各コードによって確認される符号及び機能が制御データとして、コードデータベース２２ａに格納される。又、コードデータベース２２ａ内の機能を指定するコードがないものについては、図３のデータテーブルにおいて「＊」とする。
【００５４】
以下に、この記録媒体再生装置１における、記録媒体再生装置１ａに付随したリモコン３ａの登録動作、及び、リモコン３ａ登録後のリモコン３ａによる操作例を以下に説明する。尚、以下では、記録媒体再生装置１ａが、ＶＴＲであるものとする。
【００５５】
１．リモコン３ａの登録動作の第１例
リモコン３ａの登録動作の第１例について、図４のフローチャートを参照して説明する。尚、本例では、リモコン３ａから送信される赤外線信号に機種コードが必ず備えられるものとする。このとき、まず、リモコン３ａからの赤外線信号を受光部１４で受信すると（ＳＴＥＰ１）、赤外線信号に含まれる機種コードが解析部１６で検出され、この機種コードで表される機種を確認する（ＳＴＥＰ２）。そして、制御部２３において、確認された機種コードが記録媒体再生装置１自身を表す機種コードであるか否かが確認される（ＳＴＥＰ３）。
【００５６】
このとき、リモコン３ａからの赤外線信号が受光部１４で受信されて、記録媒体再生装置１と異なる機種である記録媒体再生装置１ａに対する機種コードが確認されると（Ｎｏ）、設定記憶部１３における設定内容を確認することで、確認された機種コードに対するリモコン３ａについて既に登録されているか否かが確認される（ＳＴＥＰ４）。この設定記憶部１３は、操作可能とされるリモコン３ａを指定するための設定条件の１つとして、リモコン３ａの機種コードが格納されている。
【００５７】
そして、確認された機種コードが設定記憶部１３内に格納されていないことを確認すると（Ｎｏ）、リモコン３ａの機種をユーザに認識させるとともにこのリモコン３ａの登録の可否を問うために、表示装置２において図５（ａ）のような表示が成される（ＳＴＥＰ５）。尚、図５（ａ）のように表示されるとき、リモコン３ａの機種だけでなく、そのメーカ及び装置の種類も表示される。このとき、リモコン３ａの機種及び登録の可否の表示を示すＧＵＩを、ＧＵＩ選択部２０によってＧＵＩデータベース２２ｂより選択する。尚、図５のような表示のためのＧＵＩは、リモコン３ａ登録用の記録媒体再生装置１独自のＧＵＩの１つであり、その表示されるデータが登録されるリモコン３ａの種類によって異なる。又、上述したように、ＧＵＩデータベース２２ａには、図５のような表示を含むリモコン３ａ登録用の表示を行うためのＧＵＩと、タイマ予約画面などのリモコン３ａの種類により異なる表示画面となるＧＵＩとがそれぞれ記憶されている。
【００５８】
このように選択されたＧＵＩに基づいて、リモコン３ａの機種及び登録の可否の表示を行うための制御データを制御部２３で生成して入出力部１７より表示装置２に送信する。そして、表示装置２において、図５（ａ）のように、「このリモコンは、Ｓ社  ＶＴＲ  Ｓ５００  専用です。登録しますか？  登録する（再生ボタンを押してください）  登録しない（停止ボタンを押してください）」という表示が成される。
【００５９】
その後、リモコン３ａからの赤外線信号が受光部１４で受信されて、制御部２３において、リモコン３ａの登録を行うことが要求されているか否かを確認する（ＳＴＥＰ６）。このとき、解析部１６において、赤外線信号に含まれるコードに応じた制御データが、ＳＴＥＰ２で確認された機種コードにより特定される機種に対応して確認される。即ち、ＳＴＥＰ２で確認された機種コードに基づいて、この機種コードに応じた機種のコード群をコード選択部１９がコードデータベース２２ａより選択する。そして、選択したコード群を対比することで、受信した赤外線信号に含まれるコードによって示される制御データが確認される。
【００６０】
このようにして、制御データが確認されると、制御部２３において、確認された制御データが、登録することを示しているか否かを確認する。即ち、図５（ａ）のような表示が成されているとき、現在の動作状態が登録確認の表示状態であるとともに受信した制御データが「再生」であることを示す制御データであることを確認すると、制御選択部２１が制御データベース２２ｃを参照することで、「登録する」ことが指定されているものと判断する。又、図５（ａ）のような表示が成されているとき、現在の動作状態が登録確認の表示状態であるとともに受信した制御データが「停止」であることを示す制御データであることを確認すると、制御選択部２１が制御データベース２２ｃを参照することで、「登録しない」ことが指定されているものと判断する。
【００６１】
そして、ＳＴＥＰ６において、ユーザによってリモコン３ａによる操作が可能となるように、リモコン３ａの登録が要求されていることを確認すると（Ｙｅｓ）、ＳＴＥＰ２で確認した機種コードを設定記憶部１３に格納して、リモコン３ａの登録を行う（ＳＴＥＰ７）。このとき、設定記憶部１３では、既に登録されている内容を削除した後に新たに登録するものとしても構わないし、既に登録されている内容に追加して登録するものとしても構わない。又、設定記憶部１３では、コードデータベース２２ａ内のコード群、ＧＵＩデータベース２２ｂ内のＧＵＩ、及び制御データベース２２ｃ内の機能がそれぞれ、このリモコン３ａの機種コードに対応して、コード選択部１９、ＧＵＩ選択部２０、及び制御選択部２１それぞれによって選択されるように、各種条件が設定される。
【００６２】
そして、ＳＴＥＰ７においてリモコン３ａの登録が行われると、表示装置２において、リモコン３ａが登録されたことを示す図５（ｂ）のような表示が成される（ＳＴＥＰ８）。尚、図５（ｂ）のように表示されるとき、図５（ａ）と同様、リモコン３ａの機種だけでなく、そのメーカ及び装置の種類も表示される。このとき、リモコン３ａの機種の表示を示すＧＵＩを、ＧＵＩ選択部２０によってＧＵＩデータベースより選択し、リモコン３ａの機種の表示を行うための制御データを制御部２３で生成して入出力部１７より表示装置２に送信する。そして、表示装置２において、図５（ｂ）のように、「このリモコンは、Ｓ社  ＶＴＲ  Ｓ５００  専用です。登録致しました。」という表示が成される。
【００６３】
又、ＳＴＥＰ３において、確認された機種コードが自機器に付随したリモコン３によるものであるとき（Ｙｅｓ）、又は、ＳＴＥＰ４において、リモコン３ａの登録が既に行われているとき（Ｙｅｓ）、又は、ＳＴＥＰ６において、リモコン３ａの登録を行うことが要求されていないとき（Ｎｏ）、それぞれ、登録動作を終了する。このとき、ＳＴＥＰ３又はＳＴＥＰ４より登録動作が終了したとき、赤外線信号に含まれるコードによる制御データが解析部１６で確認された後、制御部２３で現在の動作状況と解析部１６で確認された制御データとによって指定される機能が確認される。そして、記録媒体再生装置１において、この確認された機能に従った動作が行われる。
【００６４】
このようにして、リモコン３ａの登録動作が行われるが、ＳＴＥＰ５及びＳＴＥＰ６において、登録の可否がリモコン３ａから送信される赤外線信号に含まれる「再生」「停止」を示すコードによって指定されるものとしたが、例えば、「決定」「消去」を示すコードなど、他のコードによって指定されるものであっても構わない。又、操作部１１によって直接操作されることによって登録の可否が指定されるものとしても構わないし、リモコン３によって登録の可否が指定されるものとしても構わない。
【００６５】
２．リモコン３ａの登録動作の第２例
リモコン３ａの登録動作の第２例について、図６のフローチャートを参照して説明する。尚、本例では、リモコン３ａから送信される赤外線信号に機種コードが備えられる場合と機種コードが備えられていない場合とが混在するものとする。又、リモコン３又は操作部１１が操作されてリモコン３ａの登録が開始されるまで、リモコン３以外の赤外線信号による動作が成されないものとする。更に、図６のフローチャートにおいて、図４のフローチャートと同一の動作ステップについては、同一の符号を付してその詳細な説明を省略する。
【００６６】
本例では、まず、リモコン３又は操作部１１が操作されて、リモコン３ａの登録動作を行うことが指示されると（ＳＴＥＰ０）、リモコン３ａの特定の操作ボタン（特定の制御データに対するコードを発生する操作ボタン）を操作するように要求するため、表示装置２において図７（ａ）のような表示が成される（ＳＴＥＰ１００）。このとき、特定の操作ボタンの操作要求の表示を示すＧＵＩを、ＧＵＩ選択部２０によってＧＵＩデータベースより選択した後、特定の操作ボタンの操作要求を表示するための制御データを制御部２３で生成して入出力部１７より表示装置２に送信する。尚、以下における表示装置２で表示を行うための動作についても、同様の動作を行うので、以下においては、表示装置２での表示動作の詳細については省略する。
【００６７】
又、例えば、このような表示が成されて操作要求される特定の操作ボタンを、ほぼ全てのリモコンが備える電源のＯＮ／ＯＦＦを指定するための操作ボタンとしても構わない。尚、この電源のＯＮ／ＯＦＦを指定するコードを、以下では、「電源」を示すコードとする。よって、表示装置２では、図７（ａ）のように、「登録するリモコンの電源ボタンを押してください。」という表示が成される。
【００６８】
そして、リモコン３ａからの赤外線信号を受光部１４で受信したか否かを確認し（ＳＴＥＰ１０１）、リモコン３ａで赤外線信号を受信すると、解析部１６において、赤外線信号に機種コードが含まれるか否かが確認される（ＳＴＥＰ１０２）。このとき、赤外線信号に機種コードが含まれることが確認されると（Ｙｅｓ）、ＳＴＥＰ２に移行して、リモコン３ａの登録動作の第１例と同様の動作を行う。
【００６９】
又、ＳＴＥＰ１０２において、赤外線信号に機種コードが含まれていないことが確認されると（Ｎｏ）、解析部１６において、赤外線信号に含まれる特定の操作ボタンに対するコード（特定の制御データに対するコード）に基づいて、リモコン３ａの機種を検出する（ＳＴＥＰ１０３）。このとき、解析部１６は、コード選択部１９及び制御部２３を通じて、コードデータベース２２ａ内における特定の制御データに対する各機種のコードを確認し、赤外線信号に含まれるコードと一致するコードを備える機種を確認し、リモコン３ａに対応する機種を推定する。このとき、一致するコードを備える機種が複数確認されたとき、確認された複数の機種を、リモコン３ａに対応する機種として推定する。
【００７０】
そして、制御部２３において、ＳＴＥＰ１０３でリモコン３ａに対する機種が推定されたか否かが確認される（ＳＴＥＰ１０４）。このとき、リモコン３ａに対する機種が推定されたとき（Ｙｅｓ）、推定されたリモコン３ａの全ての機種をユーザに認識させるとともに登録する機種の選択を促すために、表示装置２において、図７（ｂ）のような表示が成される（ＳＴＥＰ１０５）。尚、図７（ｂ）のように表示されるとき、図５（ａ）と同様、推定されるリモコン３ａの機種だけでなく、そのメーカ及び装置の種類も表示される。又、操作部１１又はリモコン３による操作によって登録する機種の指定を行うことを促すために、「本機の操作部又は本機用のリモコンで指定してください。」という表示を行う。更に、推定された機種全てが表示装置２の表示画面に表示不可能である場合、表示装置２の表示画面内をスクロールすることで推定された機種全てを表示させるものとしても構わない。
【００７１】
その後、制御部２３において、操作部１１又はリモコン３が操作されて、表示装置２によって表示された機種の中から登録する機種が選択されたか否かが確認される（ＳＴＥＰ１０６）。このとき、ユーザによって操作部１１又はリモコン３が操作されて、リモコン３ａに応じた機種が選択されたとき（Ｙｅｓ）、ＳＴＥＰ４に移行して、リモコン３ａの登録動作の第１例と同様の動作を行う。
【００７２】
又、ＳＴＥＰ１０４において、リモコン３ａに対する機種が推定されなかったとき（Ｎｏ）、又は、ＳＴＥＰ１０６において、リモコン３ａの機種がＳＴＥＰ１０３で推定された機種に含まれていないことを示す操作が成されたとき（Ｎｏ）、登録するリモコン３ａの機種の入力をユーザに促すために、表示装置２において、図７（ｃ）のような表示が成される（ＳＴＥＰ１０７）。尚、図７（ｃ）のように表示されるとき、「機種名を入力してください。」という表示とともに、操作部１１又はリモコン３による操作によって登録する機種の指定を行うことを促すために、「本機の操作部又は本機用のリモコンで指定してください。」という表示を行う。又、所定の領域に、操作部１１又はリモコン３が操作されて入力された機種（メーカ、装置の種類も含む）が表示される。
【００７３】
その後、操作部１１又はリモコン３が操作されて、登録するリモコン３ａの機種の入力が確認されると（ＳＴＥＰ１０８）、制御部２３において、入力された機種に対するコード及びＧＵＩ及び機能それぞれが、コードデータベース２２ａ及びＧＵＩデータベース２２ｂ及び制御データベース２２ｃそれぞれに格納されているか否か確認する（ＳＴＥＰ１０９）。このとき、入力された機種に対するコード及びＧＵＩ及び機能それぞれがメモリ２２内に格納されていることが確認されると（Ｙｅｓ）、ＳＴＥＰ４に移行して、リモコン３ａの登録動作の第１例と同様の動作を行う。
【００７４】
又、ＳＴＥＰ１０９において、入力された機種に対するコード及びＧＵＩ及び機能それぞれがメモリ２２内に格納されていないとき（Ｎｏ）、図７（ｄ）のようなエラー表示が成される（ＳＴＥＰ１１０）。このとき、図７（ｄ）には、「下記に電話して、オペレータにご相談ください。０１２０−＊＊＊−＊＊＊＊」という表示が成されて、ユーザに記録媒体再生装置１のメーカに対するサポートを行うように促す。そして、ユーザは、この電話番号に電話することによって、オペレータの指示に従って、リモコン３ａの登録を行うことができる。
【００７５】
３．リモコン３ａの登録動作の第３例
リモコン３ａの登録動作の第３例について、図６及び図８のフローチャートを参照して説明する。尚、本例では、第２例と同様、リモコン３ａから送信される赤外線信号に機種コードが備えられる場合と機種コードが備えられていない場合とが混在するものとする。又、本例では、操作部１１及びリモコン３を操作することによって、直接、登録するリモコン３ａを指定することができる。又、リモコン３又は操作部１１が操作されてリモコン３ａの登録が開始されるまで、リモコン３以外の赤外線信号による動作が成されないものとする。更に、図８のフローチャートにおいて、図６のフローチャートと同一の動作ステップについては、同一の符号を付してその詳細な説明を省略する。
【００７６】
本例では、まず、第２例と同様、リモコン３ａの登録動作を行うことが指示されると（ＳＴＥＰ０）、リモコン３又は操作部１１によって直接リモコン３ａの機種の登録を行うか否かを選択できるように、表示装置２において図９（ａ）のような表示が成される（ＳＴＥＰ１５０）。このとき、特定の操作ボタンの操作要求の表示を示すＧＵＩを、ＧＵＩ選択部２０によってＧＵＩデータベースより選択した後、特定の操作ボタンの操作要求を表示するための制御データを制御部２３で生成して入出力部１７より表示装置２に送信する。尚、以下における表示装置２で表示を行うための動作についても、同様の動作を行うので、以下においては、表示装置２での表示動作の詳細については省略する。
【００７７】
そして、リモコン３又は操作部１１が操作されて、制御部２３において、リモコン３又は操作部１１によって直接リモコン３ａの機種の登録を行うことが指示されたか否かが確認される（ＳＴＥＰ１５１）。このとき、リモコン３又は操作部１１によるリモコン３ａの機種の登録が指示されたとき（Ｙｅｓ）、まず、表示装置２において、リモコン３ａのメーカを指定するための図９（ｂ）のような表示が成される（ＳＴＥＰ１５２）。
【００７８】
この図９（ｂ）のような表示が成されるとき、制御部２３において、コードデータベース２２ａ及びＧＵＩデータベース２２ｂ及び制御データベース２２ｃそれぞれに格納されているコード群及びＧＵＩ及び機能に対応する全ての機種における全メーカが確認される。そして、図９（ｂ）のように、確認された全メーカが表示装置２に表示される。尚、メーカとしてＡ社、Ｂ社、Ｃ社、Ｓ社、Ｔ社が確認された場合、図９（ｂ）のように、確認されたＡ社、Ｂ社、Ｃ社、Ｓ社、Ｔ社が表示される。又、図９（ｂ）のように、確認されたメーカ以外のメーカをも選択できるように、確認されたメーカ以外のメーカを表す「その他」を表示するようにしても構わない。
【００７９】
その後、リモコン３又は操作部１１が操作されて、登録するリモコン３ａのメーカが選択されると、制御部２３において、選択されたメーカが確認される（ＳＴＥＰ１５３）。このとき、表示装置２に表示されたポインタを移動させて、選択するメーカ名を指定することで、登録するリモコン３ａのメーカを選択するものとしても構わない。尚、以下においても、表示装置２の表示内容から選択動作を行う際、表示装置２に表示されたポインタを移動させて行われるものとする。そして、次に、表示装置２において、リモコン３ａが付随していた装置の種類を指定するための図９（ｃ）のような表示が成される（ＳＴＥＰ１５４）。
【００８０】
この図９（ｃ）のような表示が成されるとき、制御部２３において、コードデータベース２２ａ及びＧＵＩデータベース２２ｂ及び制御データベース２２ｃそれぞれに格納されているコード群及びＧＵＩ及び機能に対応するＳＴＥＰ１５３で選択されたメーカにおける全ての機種に関する装置の全ての種類が確認される。そして、図９（ｃ）のように、確認された装置の全ての種類が表示装置２に表示される。尚、ＳＴＥＰ１５３でＳ社が選択されるとともに、メーカＳ社の装置の種類としてチューナ、ＶＴＲ、ＤＶＤレコーダ、ＤＶＤプレーヤ、及びＰＶＲ（Personal Video Recorder）が確認された場合、図９（ｂ）のように、確認されたチューナ、ＶＴＲ、ＤＶＤレコーダ、ＤＶＤプレーヤ、及びＰＶＲが表示される。又、図９（ｃ）においても、図９（ｂ）と同様、確認された装置の種類以外の種類をも選択できるように、「その他」を表示するようにしても構わない。
【００８１】
その後、リモコン３又は操作部１１が操作されて、登録するリモコン３ａが付随していた装置の種類が選択されると、制御部２３において、選択された装置の種類が確認される（ＳＴＥＰ１５５）。そして、最後に、表示装置２において、リモコン３ａの付随していた装置の機種を指定するための図９（ｄ）のような表示が成される（ＳＴＥＰ１５６）。この図９（ｄ）のような表示が成されるとき、制御部２３において、コードデータベース２２ａ及びＧＵＩデータベース２２ｂ及び制御データベース２２ｃそれぞれに格納されているコード群及びＧＵＩ及び機能に対応するＳＴＥＰ１５３で選択されたメーカ及びＳＴＥＰ１５４で選択された装置の種類における全ての機種が確認される。そして、図９（ｄ）のように、確認された全機種が表示装置２に表示される。又、図９（ｄ）においても、図９（ｂ）と同様、確認された機種以外の機種をも選択できるように、「その他」を表示するようにしても構わない。
【００８２】
そして、リモコン３又は操作部１１が操作されて機種が選択されると、ＳＴＥＰ１５６で確認された機種から選択されたか否かが制御部２３において確認される（ＳＴＥＰ１５７）。このとき、表示装置２に表示される「その他」がポインタで指定されて選択され、ＳＴＥＰ１５６で確認された機種から選択されなかったとき（Ｎｏ）、図６のＳＴＥＰ１１０に移行して、第２例と同様、図７（ｄ）のようなエラー表示を行う。又、ＳＴＥＰ１５７において、ＳＴＥＰ１５６で確認された機種の１つが選択されたとき（Ｙｅｓ）、図６のＳＴＥＰ４に移行して、リモコン３ａの登録動作の第１例と同様の動作を行う。更に、ＳＴＥＰ１５１において、リモコン３ａの操作により登録を行うことが選択されたとき（Ｎｏ）、図６のＳＴＥＰ１００に移行して、リモコン３ａの登録動作の第２例と同様の動作を行う。
【００８３】
尚、本例において、登録するリモコン３ａのメーカを選択した後に、登録するリモコン３ａが付随していた装置の種類が選択されるものとしたが、登録するリモコン３ａが付随していた装置の種類を選択した後に、登録するリモコン３ａのメーカが選択されるものとしても構わない。又、ＳＴＥＰ１５６において、確認されたメーカにおける全機種が、図９（ｄ）のように表示されるものとしたが、図１０（ａ）のように、まず、確認されたメーカにおける全機種それぞれが属する系列全てを表示して選択した後、図１０（ｂ）のように、選択された系列における機種全てを表示するものとしても構わない。
【００８４】
又、上述のリモコン３ａの登録動作の第１例〜第３例において、ＳＴＥＰ５のようにリモコン３ａの機種及び登録の可否の表示（図５（ａ）参照）を行う際、又は、ＳＴＥＰ７のように登録されたリモコン３ａの機種の表示（図５（ｂ）参照）を行う際、それぞれ、表示装置２で、操作ボタンの配置などの特徴が確認できるリモコン３ａの外観図が表示されるものとしても構わない。このとき、ＳＴＥＰ５における表示が成されるとき、例えば、図１１のように表示される。図１１のように表示されるとき、「型番に、ＲＭ−５００Ａと書かれていますか？」というような特徴部分を示す内容が表示される。
【００８５】
又、上述のリモコン３ａの登録動作の第２例及び第３例において、ＳＴＥＰ１０５のように推定されたリモコン３ａの機種の表示（図７（ｂ）参照）を行う際、リモコン３又は操作部１１による操作によって表示変更が指示されるたびに、推定された各機種のリモコン３ａの外観図が表示装置２に順次表示されるようにしても構わない。又、リモコン３ａにおいて、ＳＴＥＰ１００において操作要求される特定の操作ボタンが操作されることで、各リモコン３ａに設定された機種コードが送信されるものとしても構わない。更に、上述のリモコン３ａの登録動作の第３例において、ＳＴＥＰ１５６のように選択されたリモコン３ａの機種の表示（図９（ｄ）参照）を行う際、リモコン３又は操作部１１による操作によって表示変更が指示されるたびに、選択された各機種のリモコン３ａの外観図が表示装置２に順次表示されるようにしても構わない。
【００８６】
上述のようなリモコン３ａの登録動作の第１例〜第３例によって、記録媒体再生装置１ａで使用されていたリモコン３ａに対する各条件が設定記憶部１３において設定されて、各コード群及びＧＵＩ及び機能それぞれがメモリ２２より選択されると、リモコン３ａを操作することによって記録媒体再生装置１が制御される。このとき、このリモコン３ａ以外のリモコンの登録動作を行うまで、他のリモコンによる制御が禁止されるものとしても構わない。
【００８７】
即ち、リモコン３ａより記録再生装置１に対して赤外線信号が送信されると、赤外線信号が受光部１４において受信する。そして、解析部１６において、コード選択部１９でコードデータベース２２ａより選択されたリモコン３ａに応じたコード群を参照することで、赤外線信号に含まれる制御データが確認される。このように確認された制御データが制御部２３に与えられると、制御選択部２１で制御データベース２２ｃより選択されたリモコン３ａに応じた機能を参照することで、現在の動作状態と与えられた制御データとに基づいた機能を確認する。
【００８８】
このとき確認された機能に基づいて、制御部２３が、表示部１２の表示動作や、入出力部１７より出力する制御データの生成動作や、記録再生部１８ａでの記録又は再生動作や、チューナ部１８ｂでのチャンネル設定動作などを行うように、装置全体の制御を行う。そして、確認された機能に基づいて、入出力部１７より出力する制御データを生成して表示装置２に与えることで表示装置２での表示動作を行うとき、ＧＵＩ選択部２０でＧＵＩデータベース２２ｂより選択されたリモコン３ａに応じたＧＵＩを参照して、表示装置２での表示動作を指示するための制御データが生成される。
【００８９】
又、ＧＵＩ選択部２０でＧＵＩデータベース２２ｂより選択されたリモコン３ａに応じたＧＵＩを参照して、表示装置２での表示動作が成されるとき、表示装置２に接続される記録媒体再生装置１のメーカ及び装置の種類及び機種が表示されるとともに、操作されるリモコン３ａに対応する記録媒体再生装置１ａのメーカ及び装置の種類及び機種が表示されるものとしても構わない。そして、この表示装置２における記録媒体再生装置１，１ａのメーカ及び装置の種類及び機種の表示のＯＮ／ＯＦＦが、設定記憶部１３内における条件の一つとして記憶されるものとしても構わない。
【００９０】
例えば、リモコン３ａが登録された記録再生装置１がＴ社の機種Ａ１０となるＰＶＲであるとともに、記録再生装置１ａがＳ社の機種５００となるＶＴＲであるものとする。このとき、表示装置２における記録媒体再生装置１のメーカ及び装置の種類及び機種の表示をＯＮとするように設定記憶部１３で記憶されていると、図１２のように、「Ｔ社  ＰＶＲ  Ａ１０  動作中」なる表示が成されて、表示装置２に接続されるとともに動作している記録再生装置１がＴ社の機種Ａ１０となるＰＶＲであることが表示される。同様に、表示装置２における記録媒体再生装置１ａのメーカ及び装置の種類及び機種の表示をＯＮとするように設定記憶部１３で記憶されていると、図１２のように、「Ｓ社  ＶＴＲ  ５００  モードで動作中」なる表示が成されて、操作されるリモコン３ａに対応した記録再生装置１ａがＳ社の機種５００となるＶＴＲであることが表示される。
【００９１】
更に、リモコン３ａが表示領域を備える場合、表示領域に表示させるデータを制御部２３で生成したとき、このデータを解析部１６を通じて発光部１５に送出した後、赤外線信号を発光部１５よりリモコン３ａに対して送信する。よって、リモコン３ａでは、制御部２３で生成されたデータを含む赤外線信号を受信し、制御部２３で指示された表示をその表示領域に表示させる。
【００９２】
そして、例えば、図１３（ａ）〜（ｃ）のように、記録媒体再生装置１ａ〜１ｃ（図１３において、ＶＴＲ１ａ、ＤＶＤレコーダ１ｂ、ＶＴＲ１ｃとする）のリモコン３ａ〜３ｃ（リモコン３ａ−１〜３ａ−ｎに相当する）がそれぞれ記録媒体再生装置１（図１３において、ＰＶＲ１とする）に登録されるものとする。そして、図１３（ａ）のようにリモコン３ａを登録することで、リモコン３ａでＶＴＲ１ａを操作するときと同様の操作によってＰＶＲ１を操作することができる。同様に、図１３（ｂ）、（ｃ）のようにリモコン３ｂ，３ｃそれぞれを登録することで、リモコン３ｂ，３ｃそれぞれでＤＶＤレコーダ１ｂ、ＶＴＲ１ｃそれぞれを操作するときと同様の操作によってＰＶＲ１を操作することができる。
【００９３】
このとき、図１３（ａ）〜（ｃ）それぞれの場合において、リモコン３ａ〜３ｃそれぞれによって予約録画がＰＶＲ１に対して指示されると、図１３（ａ）のようなリモコン３ａが登録されたＰＶＲ１においてＶＴＲ１ａで予約録画動作を行うときのＧＵＩが、図１３（ｂ）のようなリモコン３ｂが登録されたＰＶＲ１においてＤＶＤレコーダ１ｂで予約録画動作を行うときのＧＵＩが、図１３（ｃ）のようなリモコン３ｃが登録されたＰＶＲ１においてＶＴＲ１ｃで予約録画動作を行うときのＧＵＩが、それぞれ読み出されることで表示装置２の表示が成される。よって、図１３（ａ）における表示装置２ではＶＴＲ１ａが予約録画動作を行うときと同一の画面表示が、図１３（ｂ）における表示装置２ではＤＶＤレコーダ１ｂが予約録画動作を行うときと同一の画面表示が、図１３（ｃ）における表示装置２ではＶＴＲ１ｃが予約録画動作を行うときと同一の画面表示が、それぞれ成される。
【００９４】
又、このように構成される記録媒体再生装置１において、接続された表示装置２でリモコン３ａからの赤外線信号を受信し、その赤外線信号に含まれるコードが表示装置２より入出力部１７に入力されるものとしても構わない。このとき、入出力部１７で入力されたリモコン３ａからの赤外線信号に含まれたコードが、制御部２３を通じて解析部１６に与えられることで、対応する制御データが確認され、この制御データに応じた動作が行われる。
【００９５】
＜第２の実施形態＞
本発明の第２の実施形態について、図面を参照して以下に説明する。尚、本実施形態の電子機器である記録媒体再生装置の構成を、第１の実施形態と同様、図１に示す構成とする。
【００９６】
本実施形態の記録媒体再生装置１は、第１の実施形態と異なり、記録媒体再生装置１ａに付随していたリモコン３ａに備えられた操作ボタンに応じたコードに対する機能を備えていない場合、このコードに対して別の機能を割り当てることができる。即ち、第１の実施形態と同様にして、リモコン３ａの登録動作を行う際、記録媒体再生装置１に備えられていない機能に対するコード（以下、「非対応コード」と呼ぶ）に対して、記録媒体再生装置１ａに備えられていなかった別の機能を割り当てることができる。このときの機能の割り当て動作について、以下に説明する。尚、機能が割り当てられた非対応コードを、以下において「割当コード」と呼ぶ。
【００９７】
１．機能の割り当て動作の第１例
本例においては、コードデータベース２２ａにおいて、記録媒体再生装置１で対応していないコードに対して制御データが予め割り当てられて格納される。即ち、コードデータベース２２ａが、図３に示すようなデータテーブル以外に、記録媒体再生装置１ａ−１〜１ａ−ｎのリモコン３ａ−１〜３ａ−ｎそれぞれにおける記録媒体再生装置１で対応していない非対応コードそれぞれに割り当てた制御データを示す図１４のようなデータテーブルを格納する。即ち、図１４のデータテーブルには、リモコン３ａ−１〜３ａ−ｎそれぞれにおける割当コードが格納される。尚、図１４のデータテーブルは、非対応コードを備える機種についてのみ、そのコードに割り当てられた制御データが格納されている。
【００９８】
この図１４のデータテーブルをコードデータベース２２ａに備える記録媒体再生装置１において、リモコン３ａの登録動作を行うときの機能の割り当て動作について、以下に説明する。尚、このとき、リモコン３ａの登録動作は、第１の実施形態で説明した登録動作の第１例〜第３例と同様、図４、図６、及び図８のいずれかのフローチャートに従って行われる。このようにして登録動作が行われて、ＳＴＥＰ７でリモコン３ａの登録されるとき、図１５のフローチャートに従って、記録媒体再生装置１が動作する。尚、図１５では、本例におけるＳＴＥＰ７で行われる動作を示す。
【００９９】
ＳＴＥＰ７でリモコン３ａの登録が行われるとき、第１の実施形態と同様、まず、登録されたリモコン３ａに対応した記録媒体再生装置１ａのメーカ及び装置の種類及び機種が、表示装置２に表示される（ＳＴＥＰ２０１）。このとき、図５（ｂ）のように、記録媒体再生装置１ａのメーカ及び装置の種類及び機種のみが表示されるものとしても構わないし、図１１の場合と同様、リモコン３ａの外観図をも表示されるものとしても構わない。
【０１００】
その後、制御部２３において、コードデータベース２２ａにおける図１４のデータテーブルが確認され、登録されるリモコン３ａの機種における割当コードの有無が確認される（ＳＴＥＰ２０２）。このとき、コード選択部１９を通じて、登録されたリモコン３ａに対する割当コードが、コードデータベース２２ａ内の図１４のデータテーブルに存在するか否かを確認する。
【０１０１】
そして、割当コードが有ることを確認すると（Ｙｅｓ）、図１６のように、割り当てられたコードに対応する操作ボタンと割り当てられた機能とを表示装置２で表示して（ＳＴＥＰ２０３）、動作を終了する。即ち、図１６では、登録されるリモコン３ａの外観を示すとともに、割当コードに応じた操作ボタンに対して矢印を施し、その矢印の先に割り当てられた機能を表示する。又、ＳＴＥＰ２０２において、割当コードが図１４のデータテーブルに格納されていない場合（Ｎｏ）、この登録動作を終了する。
【０１０２】
尚、本例において、非対応コードの数が、割り当てる機能の数よりも多く、機能が割り当てられていない非対応コードが存在するとき、図１７（ａ）のように、割り当てられていない非対応コードに応じた操作ボタンをユーザに認識させるための表示が、表示装置２において成されるものとしても構わない。即ち、図１７（ａ）では、登録されるリモコン３ａの外観を示すとともに、機能が割り当てられていない操作ボタンに対して矢印を施し、その矢印の先に「この操作ボタンは使用できません。」という表示を行う。
【０１０３】
又、このように機能が割り当てられていない非対応コードが存在するとき、この非対応コードに応じたリモコン３ａの操作ボタンがリモコン３ａ登録後に操作されると、表示装置２において、図１７（ｂ）のように、機能が割り当てられていないことをユーザに認知させるための表示が成される。即ち、図１７（ｂ）のように、表示装置２に「この操作ボタンは使用できません。」と表示することで、操作された操作ボタンに対するコードに機能が割り当てられていないことを示す。このとき、「操作部又は専用のリモコンを使用してください。」と表示することで、操作部１１又はリモコン３の操作を促すようにしても構わない。又、図１７（ｂ）のような表示を行うとき、音声によって、この操作ボタンに対する機能を実施することができないことを通知するようにしても構わない。
【０１０４】
２．機能の割り当て動作の第２例
本例においては、コードデータベース２２ａにおいて、記録媒体再生装置１で対応していないコードのみが格納されるとともに、リモコン３ａの登録が行われるときに機能の割り当てが行われる。即ち、コードデータベース２２ａが、図３に示すようなデータテーブル以外に、記録媒体再生装置１ａ−１〜１ａ−ｎのリモコン３ａ−１〜３ａ−ｎそれぞれにおける非対応コードを示す図１８（ａ）のようなデータテーブルを格納する。
【０１０５】
この図１８（ａ）のデータテーブルをコードデータベース２２ａに備える記録媒体再生装置１において、リモコン３ａの登録動作を行うときの機能の割り当て動作について、以下に説明する。尚、本例においても、リモコン３ａの登録動作は、機能の割り当て動作の第１例と同様、図４、図６、及び図８のいずれかのフローチャートに従って行われる。このようにして登録動作が行われて、ＳＴＥＰ７でリモコン３ａの登録されるとき、図１９のフローチャートに従って、記録媒体再生装置１が動作する。尚、図１９では、本例におけるＳＴＥＰ７で行われる動作を示す。
【０１０６】
上述の第１例と同様、ＳＴＥＰ７でリモコン３ａの登録が行われるとき、まず、登録されたリモコン３ａに対応した記録媒体再生装置１ａのメーカ及び装置の種類及び機種が表示される（ＳＴＥＰ２０１）。そして、制御部２３において、コード選択部１９を介してコードデータベース２２ａにおける図１８（ａ）のデータテーブルが確認されて、全ての非対応コードに対して機能の割り当て処理を施したか否かを確認する（ＳＴＥＰ２５１）。このとき、図１８（ａ）のデータテーブルにおいて機能の割り当て処理を終了した非対応コードに対して、機能の割り当て処理を終了したことを示すフラグを与えることで、判断するものとしても構わない。
【０１０７】
そして、全ての非対応コードに対して機能の割り当て処理が施されていないとき（Ｎｏ）、割り当て処理が施されていない非対応コードが表示装置２に表示される（ＳＴＥＰ２５２）。このとき、制御部２３によって、コードデータベース２２ａにおける図１８（ａ）のデータテーブル内の未処理の非対応コードが、コード選択部１９を介して読み出された後、入出力部１７より表示装置２に送信されることで、表示装置２の表示が行われる。又、この表示装置２に未処理の非対応コードを表示する際、図１７（ａ）のように表示することで、ユーザに未処理の非対応コードを認識させるようにしても構わない。
【０１０８】
そして、制御部２３において、この非対応コードに対して割り当て可能な機能が制御データベース２２ｃより確認されて、確認された割り当て可能な機能の一覧を表示装置２に表示する（ＳＴＥＰ２５３）。尚、制御データベース２２ｃでは、コードデータベース２２ａで図３のデータテーブルで確認されるコード群それぞれに対する制御データ及び割当コード対する制御データについて、既に機能が割り当てられることを確認するためのフラグが付されるものとしても構わない。よって、このフラグを確認することで、登録されたリモコン３ａから送信されるコードに対して割り当てられていない機能を認識することができる。
【０１０９】
その後、リモコン３，３ａ又は操作部１１が操作されることによって、表示装置２に表示された割り当て可能な機能がＳＴＥＰ２５２で検出された非対応コードに対して選択されたか否かが確認される（ＳＴＥＰ２５４）。そして、表示装置２に表示された割り当て可能な機能が選択されたことを確認すると（Ｙｅｓ）、ＳＴＥＰ２５２で検出された非対応コードを割当コードとして、割り当てるように選択された機能に対する制御データとともにコードデータベース２２ａに格納する（ＳＴＥＰ２５５）。このとき、割当コードに対して割り当てられた制御データを格納する図１８（ｂ）のようなデータテーブルに、新たに生成された割当コードが格納される。
【０１１０】
このようにＳＴＥＰ２５５において割当コードを格納したとき、又は、ＳＴＥＰ２５４において、表示装置２に表示された割り当て可能な機能を選択しないことを確認したとき（Ｎｏ）、図１８（ａ）のデータテーブルにおいて、ＳＴＥＰ２５２で検出された非対応コードに対して、割り当て処理が終了したことを示すフラグを付する（ＳＴＥＰ２５６）。又、ＳＴＥＰ２５５において割当コードを格納したとき、制御データベース２２ｃにおいて、割り当てられた制御データに対応する機能に、割り当てられたことを示すフラグを付す。そして、ＳＴＥＰ２５６におけるフラグの生成動作が終了すると、再び、ＳＴＥＰ２５１に移行して、非対応コード全てに対して処理が行われたか否かが確認される。
【０１１１】
このようにＳＴＥＰ２５１〜ＳＴＥＰ２５６の動作が行われている間に、ＳＴＥＰ２５１で非対応コード全てに対して処理が行われたことが確認されると（Ｙｅｓ）、図２０のように、割当コードに応じた操作ボタンと、その操作ボタンに対して割り当てられた機能とを、表示装置２に表示する（ＳＴＥＰ２５７）。
【０１１２】
このとき、図２０の表示のように、登録されたリモコン３ａの外観を表示するとともに、割当コードに対する操作ボタンに対して矢印を付して、その矢印の先に割り当てられた機能を表示し、又、機能が割り当てられていない非対応コードに対する操作ボタンに対して矢印を付して、その矢印の先に使用不可能であること示す内容を表示するようにしても構わない。又、非対応コードがなく、図１８（ａ）のデータテーブルに登録されていないリモコン３ａについては、全ての操作ボタンが使用可能であることを示す図２１のような表示が成されるものとしても構わない。
【０１１３】
このように、上述の各例によって、リモコン３ａを登録する際に、記録媒体再生装置１で対応していないコードに機能を割り当てると、第１の実施形態と同様、登録されたリモコン３ａを操作することによって、記録媒体再生装置１の動作を制御することができる。このときの動作については、第１の実施形態と同様であるため、その詳細については省略する。
【０１１４】
＜第３の実施形態＞
本発明の第３の実施形態について、図面を参照して以下に説明する。図２２は、本実施形態の電子機器である記録媒体再生装置の内部構成を示すブロック図である。尚、図２２の記録媒体再生装置において、図１の記録媒体再生装置と同一の目的で使用する部分については、同一の符号を付してその詳細な説明は省略する。
【０１１５】
図２２の記録媒体再生装置１ｘは、図１の記録媒体再生装置１の構成に、外部の通信ネットワークと接続される通信インターフェース（Ｉ／Ｆ）２４と、通信Ｉ／Ｆ２４で受信したデータをメモリ２２に格納させるデータベース更新部２５と、を追加した構成である。この記録媒体再生装置１ｘは、図２２に示すように、通信Ｉ／Ｆ２４を介してネットワーク４と接続されるとともに、このネットワーク４を通じて記録媒体再生装置１ｘのメーカが管理するサーバ５と通信接続される。このような記録媒体再生装置１ｘのリモコン３ａの登録動作例について、以下に説明する。
【０１１６】
１．サーバ５を用いたリモコン３ａの登録動作の第１例
本例では、ユーザがリモコン３ａの登録を行う際に、メーカのオペレータによる登録を所望するとき、まず、メーカのオペレータに対して電話をし、オペレータの指示に従ってユーザが操作することでリモコン３ａの登録を行う。即ち、まず、ユーザがオペレータに電話すると、このオペレータとの通話中に、オペレータより操作部１１及びリモコン３による所定操作が指示され、リモコン３ａの登録動作を開始する。
【０１１７】
そして、リモコン３ａの登録動作が開始すると、表示装置２に記録媒体再生装置１ｘ固有の型番が表示されるため、この型番をユーザがオペレータに伝えることで、オペレータがユーザの認証を行う。その後、オペレータにより登録するリモコン３ａの操作が指示されて、ユーザがリモコン３ａを特定の操作ボタンを操作する。このとき、記録媒体再生装置１ｘでは、受光部１４で受信したリモコン３ａの赤外線信号に含まれる機種コード及び特定の操作ボタンにおけるコードの少なくとも一方を解析部１６で確認し、通信Ｉ／Ｆ２４よりネットワーク４を通じてサーバ５に送信する。
【０１１８】
そして、サーバ５では、受信した機種コード又は特定の操作ボタンにおけるコードにより、リモコン３ａに対応する記録媒体再生装置１ａのメーカ及び装置の種類及び機種を特定する。このとき、１つの記録媒体再生装置１ａに特定されると、オペレータが、サーバ５を介して記録媒体再生装置１ａのメーカ及び装置の種類及び機種を確認する。又、１つの記録媒体再生装置１ａに特定されなかったとき、オペレータは、ユーザと通話することによって、リモコン３ａに対応する記録媒体再生装置１ａのメーカ及び装置の種類及び機種を確認する。
【０１１９】
このように、オペレータが記録媒体再生装置１ａのメーカ及び装置の種類及び機種を確認すると、このリモコン３ａに対するコード群に対応させた制御データを格納するデータテーブルや、記録媒体再生装置１ａに対応したＧＵＩ及び機能を選択して、サーバ５より記録媒体再生装置１ｘに送信する。そして、記録媒体再生装置１ｘでは、サーバ５より送信されるデータテーブル及びＧＵＩ及び機能を通信Ｉ／Ｆ２４で受信すると、データベース更新部２５によって、コードデータベース２２ａ及びＧＵＩデータベース２２ｂ及び機能データベース２２ｃそれぞれに格納する。このとき、受信したデータテーブル及びＧＵＩ及び機能がそれぞれ、コード選択部１９及びＧＵＩ選択部２０及び制御選択部それぞれで選択されるような設定条件もサーバ５より送信され、設定記憶部１３に格納される。
【０１２０】
２．サーバ５を用いたリモコン３ａの登録動作の第２例
本例では、第１の実施形態と同様の登録動作を行う際に、そのリモコン３ａに対するコード群及びＧＵＩ及び機能がそれぞれ、コードデータベース２２ａ及びＧＵＩデータベース２２ｂ及び機能データベース２２ｃそれぞれに格納されていないとき、サーバ５に対して、リモコン３ａに対するコード群及びＧＵＩ及び機能の送信を要求する。このとき、ユーザによって入力されるなどして特定されたリモコン３ａに対応する記録媒体再生装置１ａのメーカ及び装置の種類及び機種が、通信Ｉ／Ｆ２４よりネットワーク４を介してサーバ５に送信される。
【０１２１】
そして、サーバ５は、記録媒体再生装置１ａのメーカ及び装置の種類及び機種を受信して、記録媒体再生装置１ｘに登録されようとするリモコン３ａを認識し、リモコン３ａに対するコード群及びＧＵＩ及び機能が記録媒体再生装置１ｘで利用可能であるか否かを確認する。このとき、記録媒体再生装置１ｘで利用可能であることがサーバ５で確認されると、リモコン３ａに対するコード群及びＧＵＩ及び機能を記録媒体再生装置１ｘに対して送信する。よって、記録媒体再生装置１ｘでは、上述の第１例と同様にして、通信Ｉ／Ｆ２４で受信したコード群及びＧＵＩ及び機能を、データベース更新部２５によってコードデータベース２２ａ及びＧＵＩデータベース２２ｂ及び機能データベース２２ｃそれぞれに格納する。そして、記録媒体再生装置１ｘでは、第１の実施形態と同様に動作することで、通信Ｉ／Ｆ２４で受信したコード群及びＧＵＩ及び機能を用いて、リモコン３ａの登録を行う。
【０１２２】
逆に、リモコン３ａに対するコード群及びＧＵＩ及び機能が記録媒体再生装置１ｘで利用可能でないことがサーバ５で確認されると、利用不可能であることを通知するための信号がサーバ５より記録媒体再生装置１ｘに送信される。よって、記録媒体再生装置１ｘでは、通信Ｉ／Ｆ２４を通じてサーバ５より利用不可能であることが通知されて、リモコン３ａが登録不可能であることを確認するとともに、表示装置２及び表示部１２に登録不可能であることを表示する。
【０１２３】
尚、本実施形態において、サーバ５側で新たなリモコン３ａに対するコード群及びＧＵＩ及び機能が登録されるものとしても構わない。このとき、新たにリモコン３ａに対するコード群及びＧＵＩ及び機能が登録されるたびに、サーバ５から記録媒体再生装置１ｘに送信を行い、メモリ２２内の各データベースがデータベース更新部２５によって更新されるものとしても構わないし、定期的に、記録媒体再生装置１ｘがサーバ５と通信を行うことで、新たに登録されたリモコン３ａに対するコード群及びＧＵＩ及び機能を受信してメモリ２２内の各データベースがデータベース更新部２５によって更新されるものとしても構わない。
【０１２４】
尚、上述の第１〜第３の実施形態において、表示装置２と記録媒体再生装置１，１ｘがそれぞれ入出力部１７において有線接続されるものとしたが、図２３のように、入出力部１７を無線通信用のインターフェースとすることで、表示装置２と無線通信可能な構成としても構わない。このように構成されるとき、リモコン３，３ａからの赤外線信号を表示装置２で受信するとともに、この赤外線信号に含まれる各コードを無線信号にして、記録媒体再生装置１，１ｘに送信することで、記録媒体再生装置１，１ｘの動作が制御される。又、記録媒体再生装置１，１ｘから無線通信を通じて制御データやＡＶデータが表示装置２に送信されて、表示装置２にＡＶデータによる映像及び音声又はＧＵＩ等による画像を表示させる。このとき、記録媒体再生装置１，１ｘが表示装置２と無線通信を行う際、通信接続される表示装置２と暗号化通信を行うことで、著作権保護や通信時の安全性を高めることができる。
【０１２５】
＜第４の実施形態＞
本発明の第４の実施形態について、図面を参照して以下に説明する。図２４は、本実施形態の電子機器である記録媒体再生装置の内部構成を示すブロック図である。尚、図２４の記録媒体再生装置において、図１の記録媒体再生装置と同一の目的で使用する部分については、同一の符号を付してその詳細な説明は省略する。
【０１２６】
図２４の記録媒体再生装置１ｙは、図１の記録媒体再生装置１の構成に、無線通信機能を備えた表示装置２ｘと無線通信接続される無線通信用Ｉ／Ｆ２６を追加した構成である。この記録媒体再生装置１ｙは、入出力部１７において表示装置２とケーブルなどによって有線で通信接続されるとともに、無線Ｉ／Ｆ２６において複数の表示装置２ｘと無線ＬＡＮ（Local Area Network）回線などによって無線で通信接続される。このような記録媒体再生装置１ｙのリモコン３ａの登録動作例について、以下に説明する。
【０１２７】
本実施形態の記録媒体再生装置１ｙは、第１〜第３の実施形態の記録媒体再生装置１，１ｘと異なり、複数の表示装置２，２ｘと通信動作を行うことができるため、通信接続された表示装置２，２ｘそれぞれに対してユーザが求める制御動作を処理する。そのため、記憶設定部１３において、通信接続された表示装置２，２ｘそれぞれを視聴するユーザが利用するリモコン３ａが、表示装置２，２ｘそれぞれに対応するように登録される。
【０１２８】
このとき、入出力部１７に接続される表示装置２は、記録媒体再生装置１ｙに設けられた受光部１４及び発光部１５と赤外線通信を行うリモコン３ａが利用されるため、第１〜第３の実施形態の記録媒体再生装置１，１ｘと同様の登録動作が行われる。即ち、図４、図６及び図８のフローチャートのようなリモコン登録動作が行われるとともに、リモコン３ａを識別する際にＳＴＥＰ１やＳＴＥＰ１０１において受光部１４でリモコン３ａの赤外線信号を受信する。そして、この記録媒体再生装置１ｙと直接赤外線通信を行うリモコン３ａの登録を行う際、記憶設定部１３において、受光部１４及び発光部１５で通信することと、入出力部１７に接続された表示装置２と関連づけられて、登録される。
【０１２９】
又、無線Ｉ／Ｆ２６によって無線通信接続された表示装置２ｘについては、第１〜第３の実施形態の記録媒体再生装置１，１ｘにおける登録動作と同様の登録動作が行われるが、無線Ｉ／Ｆ２６を介した無線通信を行うことによる登録動作が行われる。即ち、図４、図６及び図８のフローチャートに即した登録動作がためされるが、リモコン３ａの赤外線信号が表示装置２ｘで受信されて無線信号に変換されて無線Ｉ／Ｆ２６に送信されるとともに、表示装置２ｘに表示する表示データが入出力部１７でなく無線Ｉ／Ｆ２６より無線信号として表示装置２ｘに送信される。
【０１３０】
よって、ＳＴＥＰ１やＳＴＥＰ１０１においては、まず、表示装置２ｘがリモコン３ａからの赤外線信号を受信する。そして、受信した赤外線信号が無線信号に変換されて、記録媒体再生装置１ｙに送信されると、記録媒体再生装置１ｙでは、この無線信号を無線Ｉ／Ｆ２６で受信して、リモコン３ａが表示装置２ｘに対して送信した赤外線信号によるコードを確認する。又、図４のフローチャートのＳＴＥＰ５などのように表示装置２ｘに画面表示を行う際は、表示装置２ｘで画面表示するためのＧＵＩがＧＵＩデータベース２２ｂより読み出されて、無線Ｉ／Ｆ２６より無線信号として表示装置２ｘに送信される。そして、表示装置２ｘでは、記録媒体再生装置１ｙから送信された無線信号を受信すると、受信した無線信号よりＧＵＩを確認し、そのＧＵＩに応じた画面表示を行う。
【０１３１】
このように無線Ｉ／Ｆ２６を通じて通信接続される表示装置２ｘを視聴するユーザが利用するリモコン３ａの登録が行われる際、記憶設定部１３において、記録媒体再生装置１ｙと無線Ｉ／Ｆ２６によって無線通信を行うことと、記録媒体再生装置１ｙと通信する際にその通信経路の一部として使用する表示装置２ｘと関連づけられて、登録される。このとき、本実施形態では、無線Ｉ／Ｆ２６と通信接続される表示装置２ｘそれぞれと、この表示装置２ｘを視聴するユーザが利用するリモコン３ａとを対応づけて、記憶設定部１３に登録されるものとする。
【０１３２】
このように表示装置２，２ｘそれぞれを視聴するユーザが利用するリモコン３ａの登録が行われると、表示装置２ｘに対してリモコン３ａから赤外線信号が送信された場合、表示装置２ｘで赤外線信号が無線信号に変換されて、記録媒体再生装置１ｙに送信される。そして、記録媒体再生装置１ｙでは、この無線信号を無線Ｉ／Ｆ２６で受信すると、この表示装置２ｘを識別するための装置ＩＤや表示装置２ｘとの無線通信に使用するチャンネルなどより、いずれの表示装置２ｘから送信されたものか確認する。そして、無線信号を送信した表示装置２ｘを確認すると、確認した表示装置２ｘに対応して登録されたリモコン３ａの種類を記憶設定部１３で確認する。よって、この確認したリモコン３ａのコードに応じた制御データを読み出して、その制御データに応じた動作を行う。
【０１３３】
又、このとき、表示装置２ｘを通じて送信された信号より確認されるリモコン３ａで指示された動作が、録画予約機能であり表示装置２ｘへの表示画面が要求されるときは、確認したリモコン３ａに対応するＧＵＩが読み出されて、表示装置２ｘに無線Ｉ／Ｆ２６より送信される。よって、表示装置２ｘにおいて、記録媒体再生装置１ｙより送信されたＧＵＩを無線信号として受信されると、リモコン３ａが付随された記録媒体再生装置１ａによる画面表示と同一の画面表示が為される。
【０１３４】
又、受光部１４に対してリモコン３ａから赤外線信号が送信された場合、記録媒体再生装置１ｙでは、記憶設定部１３において、受光部１４で赤外線通信を行うものとして登録されたリモコン３ａの種類を確認する。よって、この確認したリモコン３ａのコードに応じた制御データを読み出して、その制御データに応じた動作を行う。又、このとき、表示装置２ｘを通じて送信された信号より確認されるリモコン３ａで指示された動作が、録画予約機能であり表示装置２への表示画面が要求されるときは、確認したリモコン３ａに対応するＧＵＩが読み出されて、表示装置２に入出力部１７より送信される。そして、表示装置２において、リモコン３ａが付随された記録媒体再生装置１ａによる画面表示と同一の画面表示が為される。
【０１３５】
このように動作する記録媒体再生装置１ｙに対して、図２５のように、入出力部１３に表示装置２が接続されるとともに、無線Ｉ／Ｆ２６によって表示装置２ｘ１，２ｘ２（図２４の表示装置２ｘに相当する）が無線通信接続されるものとする。又、リモコン３ａがＰＶＲ１ｙと直接赤外線通信を行い、リモコン３ｂ，３ｃがそれぞれ表示装置２ｘ１，２ｘ２それぞれと赤外線通信を行うものとする。尚、図２５において、記録媒体再生装置１ｙをＰＶＲ１ｙとし、リモコン３ａ〜３ｃは、図１３の場合と同様、記録媒体再生装置１ａ〜１ｃ（ＶＴＲ１ａ、ＤＶＤレコーダ１ｂ、ＶＴＲ１ｃとする）のリモコンとする。
【０１３６】
このとき、リモコン３ａの登録を行う際、ＰＶＲ１ｙと赤外線通信を行うとともに、その確認表示などが表示装置２において行われる。又、リモコン３ｂ，３ｂの登録はそれぞれ、表示装置２ｘ１，２ｘ２それぞれがＰＶＲ１ｙと無線通信を行うことで行われる。即ち、リモコン３ｂが表示装置２ｘ１と赤外線通信を行うとともに、表示装置２ｘ１がＰＶＲ１ｙと無線通信を行うことで、リモコン３ｂからのコードがＰＶＲ１ｙに送信されるとともに、表示装置２ｘ１での確認表示が行われる。又、リモコン３ｃが表示装置２ｘ２と赤外線通信を行うとともに、表示装置２ｘ２がＰＶＲ１ｙと無線通信を行うことで、リモコン３ｃからのコードがＰＶＲ１ｙに送信されるとともに、表示装置２ｘ２での確認表示が行われる。
【０１３７】
このように登録動作が行われることで、ＰＶＲ１ｙの記憶設定部１３には、図２６のようなリモコン割当テーブルを生成される。このリモコン割当テーブルにおいて、リモコン３ａに対して、使用する通信及び画面表示に使用する表示装置として赤外線通信及び表示装置２が割り当てられて登録され、リモコン３ｂに対して、使用する通信及び画面表示に使用する表示装置として無線通信及び表示装置２ｘ１が割り当てられて登録され、リモコン３ｃに対して、使用する通信及び画面表示に使用する表示装置として無線通信及び表示装置２ｘ２が割り当てられて登録されることが示される。
【０１３８】
このように登録されるとき、リモコン３ａにより録画予約動作を指示する赤外線信号が送信されると、この赤外線信号をＰＶＲ１ｙが受光部１４で直接受信する。よって、記憶設定部１３における図２６のリモコン割当テーブルを参照することで、赤外線通信を行うリモコンがリモコン３ａであることを確認するとともに、画面表示を行う表示装置が表示装置２であることを確認する。よって、ＶＴＲ１ａに対応したＧＵＩをＧＵＩデータベース２２ｂより読み出して入出力部１７より表示装置２に送信するため、表示装置２において、ＶＴＲ１ａに応じた録画用の画面表示がなされる。
【０１３９】
又、リモコン３ｂにより録画予約動作を指示する赤外線信号が送信されると、この赤外線信号を表示装置２ｘ１が受信した後、無線信号としてＰＶＲ１ｙに送信する。よって、この無線信号を受信したＰＶＲ１ｙが、無線信号が表示装置２ｘ１より送信されたものであることを確認する。そして、記憶設定部１３における図２６のリモコン割当テーブルを参照することで、表示装置２ｘ１による無線通信を行うリモコンがリモコン３ｂであることを確認するとともに、画面表示を行う表示装置が表示装置２ｘ１であることを確認する。よって、ＤＶＤレコーダ１ｂに対応したＧＵＩをＧＵＩデータベース２２ｂより読み出して無線Ｉ／Ｆ２６より表示装置２ｘ１に送信するため、表示装置２ｘ１において、ＤＶＤレコーダ１ｂに応じた録画用の画面表示がなされる。
【０１４０】
更に、リモコン３ｃにより録画予約動作を指示する赤外線信号が送信されると、この赤外線信号を表示装置２ｘ２が受信した後、無線信号としてＰＶＲ１ｙに送信する。よって、この無線信号を受信したＰＶＲ１ｙが、無線信号が表示装置２ｘ２より送信されたものであることを確認し、図２６のリモコン割当テーブルより、リモコン３ｃであることを確認するとともに、画面表示を行う表示装置が表示装置２ｘ２であることを確認する。よって、ＶＴＲ１ｃに対応したＧＵＩを読み出して表示装置２ｘ２に送信するため、表示装置２ｘ２において、ＶＴＲ１ｃに応じた録画用の画面表示がなされる。
【０１４１】
このように本実施形態においては、記録媒体再生装置１ｙに対して表示装置２，２ｘを複数接続させて、各表示装置２，２ｘを視聴するユーザに対して、それぞれが使用するリモコンに応じた記録媒体再生装置に擬態させて動作させることができる。尚、記録媒体再生装置１がＶＴＲやＤＶＤレコーダなどにおいて、１つのソースのみしか再生できない場合は、接続された各表示装置２，２ｘそれぞれに対して再生するソースが同期して表示されるものとしても構わないし、表示装置２，２ｘのうちの１台のみが表示可能であるものとしても構わない。このとき、記録媒体再生装置１ｙを操作できるリモコン３ａを１つのみとして、操作不可能な他のリモコン３ａからの指示を拒否させるものとしても構わない。又、拒否されたリモコン３ａを使用するユーザが視聴する表示装置２，２ｘにおいて、リモコン３ａが使用できないことや、ソースの再生が同期又は禁止されていることが表示されるものとしても構わない。
【０１４２】
又、本実施形態において、第３の実施形態における図２２の記録媒体再生装置１ｘのように、通信Ｉ／Ｆ２４を備えて外部のサーバ５と通信接続可能な構成とされるとともに、データベース更新部２５を備えて、外部のサーバ５より受信したデータによってメモリ２２内の各データベースの内容を更新可能なものとしても構わない。
【０１４３】
尚、上述の第１〜第４の実施形態において、電子機器（記録媒体再生装置）１，１ｘに対して、専用のリモコン３が付随されるものとしたが、この専用のリモコン３が電子機器（記録媒体再生装置）１，１ｘに付随されないで流通されるものとしても構わない。このときも、上述の各実施形態のようにして、別の電子機器のリモコン３ａを電子機器（記録媒体再生装置）１，１ｘを操作するためのリモコンとして登録することで、電子機器（記録媒体再生装置）１，１ｘを操作するためのリモコンを設定することができる。又、電子機器１，１ｘに、予め、使用する別の電子機器のリモコン３ａが登録されて流通されるものとしても構わない。このとき、複数のリモコン３ａが登録されるものとし、電子機器１，１ｘの使用時にユーザによって選択されるものとしても構わない。
【０１４４】
更に、電子機器（記録媒体再生装置）１，１ｘを操作するリモコン３ａが、複数登録されるものとしても構わない。このとき、リモコン３ａの機種コードによっていずれのリモコン３ａが使用されているかを確認し、そのリモコン３ａの機種に応じて動作させることができる。又、一度、電子機器（記録媒体再生装置）１，１ｘを操作するリモコン３ａが登録されると、次の登録が成されるまで、登録されていない他のリモコン３ａからの信号が無効になるものを例に挙げたが、リモコン３ａの登録してから電子機器（記録媒体再生装置）１，１ｘの電源を切断するまで、登録されていない他のリモコン３ａからの信号が無効に成るものとしても構わない。又、リモコン３ａの登録後、所定時間が経過するまで、登録されていない他のリモコン３ａからの信号が無効に成るものとしても構わない。
【産業上の利用可能性】
【０１４５】
本発明の電子機器は、記録媒体再生装置やチューナ装置やネットワーク装置などを含むコンテンツ提供装置、これらコンテンツ提供装置が接続されるディスプレイなどの表示装置、冷暖房機器、及びパーソナルコンピュータなどの、リモコンが付随される別の電子機器に適応することが可能である。このとき、記録媒体再生装置として、ＶＴＲ、ＰＶＲ、ＤＶＤレコーダ、ＤＶＤプレーヤ、ＣＤプレーヤなどが挙げられ、又、コンテンツ提供装置としては、衛星放送チューナ、地上波放送チューナ、デジタル放送チューナなどが挙げられる。
【図面の簡単な説明】
【０１４６】
【図１】は、第１及び第２の実施形態の電子機器（記録媒体再生装置）の内部構成を示すブロック図である。
【図２】は、図１の記録媒体再生装置と、リモコン及び表示装置との接続関係を示す図である。
【図３】は、コードデータベース内の記録内容を示す図である。
【図４】は、使用する機種の異なるリモコンの登録動作の第１例を説明するフローチャートである。
【図５】は、リモコンの登録動作時における表示装置での表示例を示す図である。
【図６】は、使用する機種の異なるリモコンの登録動作の第２例を説明するフローチャートである。
【図７】は、リモコンの登録動作時における表示装置での表示例を示す図である。
【図８】は、使用する機種の異なるリモコンの登録動作の第３例を説明するフローチャートである。
【図９】は、リモコンの登録動作時における表示装置での表示例を示す図である。
【図１０】は、リモコンの登録動作時における表示装置での表示例を示す図である。
【図１１】は、リモコンの登録動作時における表示装置での表示例を示す図である。
【図１２】は、リモコンによる操作時における表示装置での表示例を示す図である。
【図１３】は、図１の記録媒体再生装置のリモコンによる操作を説明するための図である。
【図１４】は、割当コードに対するデータベースの記録内容の一例を示す図である。
【図１５】は、機能の割り当て動作の第１例を説明するフローチャートである。
【図１６】は、機能の割り当て動作終了時における表示装置での表示例を示す図である。
【図１７】は、機能の割り当て動作終了時及び非対応コードに対応する操作ボタンの操作時における表示装置での表示例を示す図である。
【図１８】は、非対応コード及び割当コードそれぞれに対するデータベースの記録内容の一例を示す図である。
【図１９】は、機能の割り当て動作の第２例を説明するフローチャートである。
【図２０】は、機能の割り当て動作終了時における表示装置での表示例を示す図である。
【図２１】は、機能の割り当て動作終了時における表示装置での表示例を示す図である。
【図２２】は、第３の実施形態の電子機器（記録媒体再生装置）の内部構成を示すブロック図である。
【図２３】は、本発明の記録媒体再生装置と、リモコン及び表示装置との別の接続関係を示す図である。
【図２４】は、第４の実施形態の電子機器（記録媒体再生装置）の内部構成を示すブロック図である。
【図２５】は、第４の実施形態における記録媒体再生装置のリモコンによる操作例を説明するための図である。
【図２６】は、記憶設定部に格納されるリモコン割当テーブルの内容の一例を示す図である。
【図２７】は、リモコンの種類を説明するための図である。
【図２８】は、録画予約動作を行ったときのリモコン及び表示装置における表示例を示す図である。
【図２９】は、録画予約動作を行ったときのリモコン及び表示装置における表示例を示す図である。
【図３０】は、各種リモコンで録画予約動作を行ったときの表示装置におけるそれぞれの表示例を示す図である。
【符号の説明】
【０１４７】
１，１ａ〜１ｃ    記録媒体再生装置
２    表示装置
３，３ａ〜３ｃ    リモコン
１１    操作部
１２    表示部
１３    設定記憶部
１４    受光部
１５    発光部
１６    解析部
１７    入出力部
１８ａ    記録再生部
１８ｂ    チューナ部
１９    コード選択部
２０    ＧＵＩ選択部
２１    制御選択部
２２    メモリ
２２ａ    コードデータベース
２２ｂ    ＧＵＩデータベース
２２ｃ    制御データベース
２３    制御部
【図１】
2006041825.tif 000003
【図２】
2006041825.tif 000004
【図３】
2006041825.tif 000005
【図４】
2006041825.tif 000006
【図５】
2006041825.tif 000007
【図６】
2006041825.tif 000008
【図７】
2006041825.tif 000009
【図８】
2006041825.tif 000010
【図９】
2006041825.tif 000011
【図１０】
2006041825.tif 000012
【図１１】
2006041825.tif 000013
【図１２】
2006041825.tif 000014
【図１３】
2006041825.tif 000015
【図１４】
2006041825.tif 000016
【図１５】
2006041825.tif 000017
【図１６】
2006041825.tif 000018
【図１７】
2006041825.tif 000019
【図１８】
2006041825.tif 000020
【図１９】
2006041825.tif 000021
【図２０】
2006041825.tif 000022
【図２１】
2006041825.tif 000023
【図２２】
2006041825.tif 000024
【図２３】
2006041825.tif 000025
【図２４】
2006041825.tif 000026
【図２５】
2006041825.tif 000027
【図２６】
2006041825.tif 000028
【図２７】
2006041825.tif 000029
【図２８】
2006041825.tif 000030
【図２９】
2006041825.tif 000031
【図３０】
2006041825.tif 000032